(57)【要約】【課題】小型かつ広角で、高性能化が実現可能な撮像レンズ、およびこの撮像レンズを備えた撮像装置を提供する。【解決手段】撮像レンズ１は、物体側から順に、負の第１レンズＬ１、正の第２レンズＬ２、負の第３レンズＬ３、正の第４レンズＬ４、正の第５レンズＬ５、負の第６レンズＬ６から実質的に構成され、以下の条件式を満足する。  １．０＜（Ｄｂ１２＋Ｄ３）／ｆ  （１）  ｆ２／ｆ＜１．６８  （２）  １．１＜（Ｒ１ｆ＋Ｒ１ｒ）／（Ｒ１ｆ−Ｒ１ｒ）＜２．２  （３−３）ただし、Ｄｂ１２は第１レンズと第２レンズの間隔、Ｄ３は第２レンズの中心厚、ｆ２は第２レンズの焦点距離、ｆは全系の焦点距離、Ｒ１ｆは第１レンズの物体側の面の近軸曲率半径、Ｒ１ｒ第１レンズの像側の面の近軸曲率半径である。【選択図】図１
2015125149.tif 000002
【特許請求の範囲】
【請求項１】
物体側から順に、負の屈折力を有する第１レンズと、正の屈折力を有する第２レンズと、負の屈折力を有する第３レンズと、正の屈折力を有する第４レンズと、正の屈折力を有する第５レンズと、負の屈折力を有する第６レンズとから構成される実質的に６枚のレンズからなり、下記条件式を満足する撮像レンズ。
１．０＜（Ｄｂ１２＋Ｄ３）／ｆ    （１）
ｆ２／ｆ＜１．６８    （２）
１．１＜（Ｒ１ｆ＋Ｒ１ｒ）／（Ｒ１ｆ−Ｒ１ｒ）＜２．２    （３−３）
ただし、
Ｄｂ１２：前記第１レンズと前記第２レンズの光軸上の空気間隔
Ｄ３：前記第２レンズの中心厚
ｆ２：前記第２レンズの焦点距離
ｆ：全系の焦点距離
Ｒ１ｆ：前記第１レンズの物体側の面の近軸曲率半径
Ｒ１ｒ：前記第１レンズの像側の面の近軸曲率半径
【請求項２】
物体側から順に、負の屈折力を有する第１レンズと、正の屈折力を有する第２レンズと、負の屈折力を有する第３レンズと、正の屈折力を有する第４レンズと、正の屈折力を有する第５レンズと、負の屈折力を有する第６レンズとから構成される実質的に６枚のレンズからなり、下記条件式を満足する撮像レンズ。
１．１＜（Ｒ１ｆ＋Ｒ１ｒ）／（Ｒ１ｆ−Ｒ１ｒ）＜２．０    （３−４）
１．６＜ｆ３４５６／ｆ    （４）
０．０＜ｆ４／ｆ＜２．４５    （５）
νｄ６＜３０    （６）
ただし、
Ｒ１ｆ：前記第１レンズの物体側の面の近軸曲率半径
Ｒ１ｒ：前記第１レンズの像側の面の近軸曲率半径
ｆ４：前記第４レンズの焦点距離
ｆ３４５６：前記第３レンズから前記第６レンズまでの合成焦点距離
ｆ：全系の焦点距離
νｄ６：前記第６レンズの材質のｄ線に対するアッベ数
【請求項３】
物体側から順に、負の屈折力を有する第１レンズと、正の屈折力を有する第２レンズと、負の屈折力を有する第３レンズと、正の屈折力を有する第４レンズと、正の屈折力を有する第５レンズと、負の屈折力を有する第６レンズとから構成される実質的に６枚のレンズからなり、下記条件式を満足する撮像レンズ。
０．３８＜Ｄｂ１２／ｆ    （７）
ｆ１２／ｆ＜２．５    （８）
ｆ５／ｆ＜５．０    （９）
νｄ６＜３０    （６）
ただし、
Ｄｂ１２：前記第１レンズと前記第２レンズの光軸上の空気間隔
ｆ：全系の焦点距離
ｆ５：前記第５レンズの焦点距離
ｆ１２：前記第１レンズと前記第２レンズの合成焦点距離
νｄ６：前記第６レンズの材質のｄ線に対するアッベ数
【請求項４】
物体側から順に、負の屈折力を有する第１レンズと、正の屈折力を有する第２レンズと、負の屈折力を有する第３レンズと、正の屈折力を有する第４レンズと、正の屈折力を有する第５レンズと、負の屈折力を有する第６レンズとから構成される実質的に６枚のレンズからなり、下記条件式を満足する撮像レンズ。
−０．１５＜（Ｒ２ｆ＋Ｒ２ｒ）／（Ｒ２ｆ−Ｒ２ｒ）    （１０）
−２．５＜（Ｒ５ｆ＋Ｒ５ｒ）／（Ｒ５ｆ−Ｒ５ｒ）＜−０．２５    （１１）
−４．０＜（Ｒ６ｆ＋Ｒ６ｒ）／（Ｒ６ｆ−Ｒ６ｒ）    （１２）
ただし、
Ｒ２ｆ：前記第２レンズの物体側の面の近軸曲率半径
Ｒ２ｒ：前記第２レンズの像側の面の近軸曲率半径
Ｒ５ｆ：前記第５レンズの物体側の面の近軸曲率半径
Ｒ５ｒ：前記第５レンズの像側の面の近軸曲率半径
Ｒ６ｆ：前記第６レンズの物体側の面の近軸曲率半径
Ｒ６ｒ：前記第６レンズの像側の面の近軸曲率半径
【請求項５】
下記条件式を満足する請求項１から４のいずれか１項記載の撮像レンズ。
０．０＜Ｒ１ｆ／ｆ    （１３）
ただし、
Ｒ１ｆ：前記第１レンズの物体側の面の近軸曲率半径
ｆ：全系の焦点距離
【請求項６】
下記条件式を満足する請求項１から５のいずれか１項記載の撮像レンズ。
−３．０＜ｆ１／ｆ＜−０．５    （１４）
ただし、
ｆ１：前記第１レンズの焦点距離
ｆ：全系の焦点距離
【請求項７】
下記条件式を満足する請求項１から６のいずれか１項記載の撮像レンズ。
−０．１５＜（Ｒ２ｆ＋Ｒ２ｒ）／（Ｒ２ｆ−Ｒ２ｒ）    （１０）
ただし、
Ｒ２ｆ：前記第２レンズの物体側の面の近軸曲率半径
Ｒ２ｒ：前記第２レンズの像側の面の近軸曲率半径
【請求項８】
下記条件式を満足する請求項１から７のいずれか１項記載の撮像レンズ。
１．１＜（Ｒ１ｆ＋Ｒ１ｒ）／（Ｒ１ｆ−Ｒ１ｒ）＜２．０    （３−４）
ただし、
Ｒ１ｆ：前記第１レンズの物体側の面の近軸曲率半径
Ｒ１ｒ：前記第１レンズの像側の面の近軸曲率半径
【請求項９】
下記条件式を満足する請求項１から８のいずれか１項記載の撮像レンズ。
ｆ１２／ｆ＜２．５    （８）
ただし、
ｆ１２：前記第１レンズと前記第２レンズの合成焦点距離
ｆ：全系の焦点距離
【請求項１０】
下記条件式を満足する請求項１から９のいずれか１項記載の撮像レンズ。
０．０＜ｆ４／ｆ＜２．４５    （５）
ただし、
ｆ４：前記第４レンズの焦点距離
ｆ：全系の焦点距離
【請求項１１】
下記条件式を満足する請求項１から１０のいずれか１項記載の撮像レンズ。
０．１＜ｆ１２／ｆ３４５６＜２．０    （１５）
ただし、
ｆ１２：前記第１レンズと前記第２レンズの合成焦点距離
ｆ３４５６：前記第３レンズから前記第６レンズまでの合成焦点距離
【請求項１２】
下記条件式を満足する請求項１から１１のいずれか１項記載の撮像レンズ。
−２．５＜（Ｒ５ｆ＋Ｒ５ｒ）／（Ｒ５ｆ−Ｒ５ｒ）＜−０．２５    （１１）
ただし、
Ｒ５ｆ：前記第５レンズの物体側の面の近軸曲率半径
Ｒ５ｒ：前記第５レンズの像側の面の近軸曲率半径
【請求項１３】
下記条件式を満足する請求項１から１２のいずれか１項記載の撮像レンズ。
ｆ２／ｆ＜１．６８    （２）
ただし、
ｆ２：前記第２レンズの焦点距離
ｆ：全系の焦点距離
【請求項１４】
下記条件式を満足する請求項１から１３のいずれか１項記載の撮像レンズ。
０．２＜（Ｄ３＋Ｄｂ２３）／ｆ＜３．０    （１６）
ただし、
Ｄ３：前記第２レンズの中心厚
Ｄｂ２３：前記第２レンズと前記第３レンズの光軸上の空気間隔
ｆ：全系の焦点距離
【請求項１５】
下記条件式を満足する請求項１から１４のいずれか１項記載の撮像レンズ。
−３．０＜ｆ１／ｆ２＜−０．２    （１７）
ただし、
ｆ１：前記第１レンズの焦点距離
ｆ２：前記第２レンズの焦点距離
【請求項１６】
下記条件式を満足する請求項１から１５のいずれか１項記載の撮像レンズ。
νｄ３＜３０    （１８）
ただし、
νｄ３：前記第３レンズの材質のｄ線に対するアッベ数
【請求項１７】
前記第４レンズが両凸レンズである請求項１から１６のいずれか１項記載の撮像レンズ。
【請求項１８】
下記条件式を満足する請求項１から１７のいずれか１項記載の撮像レンズ。
０．３８＜Ｄｂ１２／ｆ    （７）
ただし、
Ｄｂ１２：前記第１レンズと前記第２レンズの光軸上の空気間隔
ｆ：全系の焦点距離
【請求項１９】
請求項１から１８のいずれか１項記載の撮像レンズを備えた撮像装置。
【発明の詳細な説明】
【技術分野】
【０００１】
本発明は、撮像レンズおよび撮像装置に関し、より詳しくは、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の撮像素子を用いた車載用カメラ、携帯端末用カメラ、監視カメラ等に使用されるのに好適な撮像レンズ、および該撮像レンズを備えた撮像装置に関するものである。
【背景技術】
【０００２】
ＣＣＤやＣＭＯＳ等の撮像素子は近年非常に小型化及び高画素化が進んでいる。それとともに、これら撮像素子を備えた撮像機器本体も小型化が進み、それに搭載される撮像レンズにも良好な光学性能に加え、小型化が求められている。一方、車載用カメラや監視カメラ等の用途では、小型化とともに、安価に構成可能で、広角で高性能であることが求められている。
【０００３】
下記特許文献１には、車載用カメラに搭載される撮像レンズとして、物体側から順に、負レンズ、正レンズ、負レンズ、正レンズ、正レンズ、負レンズが配置された６枚構成のレンズ系が記載されている。また、下記特許文献２には、上記と同様の屈折力（以下、パワーともいう）配列の６枚構成の画像読取レンズが記載されている。
【先行技術文献】
【特許文献】
【０００４】
【特許文献１】国際公開ＷＯ２０１２／０８６１９９Ａ１号公報
【特許文献２】特開２００９−２０４９９７号公報
【発明の概要】
【発明が解決しようとする課題】
【０００５】
ところで、車載用カメラや監視カメラ等に搭載されるレンズに対する要求は年々厳しくなっており、小型で広角の構成を有しながら、さらなる高性能化を実現することが求められている。
【０００６】
本発明は、上記事情に鑑み、小型かつ広角で、さらなる高性能化が実現可能な撮像レンズ、およびこの撮像レンズを備えた撮像装置を提供することを目的とするものである。
【課題を解決するための手段】
【０００７】
本発明の第１の撮像レンズは、物体側から順に、負の屈折力を有する第１レンズと、正の屈折力を有する第２レンズと、負の屈折力を有する第３レンズと、正の屈折力を有する第４レンズと、正の屈折力を有する第５レンズと、負の屈折力を有する第６レンズとから構成される実質的に６枚のレンズからなり、下記条件式を満足するものである。
１．０＜（Ｄｂ１２＋Ｄ３）／ｆ    （１）
ｆ２／ｆ＜１．６８    （２）
１．１＜（Ｒ１ｆ＋Ｒ１ｒ）／（Ｒ１ｆ−Ｒ１ｒ）＜２．２    （３−３）
ただし、
Ｄｂ１２：第１レンズと第２レンズの光軸上の空気間隔
Ｄ３：第２レンズの中心厚
ｆ２：第２レンズの焦点距離
ｆ：全系の焦点距離
Ｒ１ｆ：第１レンズの物体側の面の近軸曲率半径
Ｒ１ｒ：第１レンズの像側の面の近軸曲率半径
【０００８】
本発明の第２の撮像レンズは、物体側から順に、負の屈折力を有する第１レンズと、正の屈折力を有する第２レンズと、負の屈折力を有する第３レンズと、正の屈折力を有する第４レンズと、正の屈折力を有する第５レンズと、負の屈折力を有する第６レンズとから構成される実質的に６枚のレンズからなり、下記条件式を満足するものである。
１．１＜（Ｒ１ｆ＋Ｒ１ｒ）／（Ｒ１ｆ−Ｒ１ｒ）＜２．０    （３−４）
１．６＜ｆ３４５６／ｆ    （４）
０．０＜ｆ４／ｆ＜２．４５    （５）
νｄ６＜３０    （６）
ただし、
Ｒ１ｆ：第１レンズの物体側の面の近軸曲率半径
Ｒ１ｒ：第１レンズの像側の面の近軸曲率半径
ｆ４：第４レンズの焦点距離
ｆ３４５６：第３レンズから第６レンズまでの合成焦点距離
ｆ：全系の焦点距離
νｄ６：第６レンズの材質のｄ線に対するアッベ数
【０００９】
本発明の第３の撮像レンズは、物体側から順に、負の屈折力を有する第１レンズと、正の屈折力を有する第２レンズと、負の屈折力を有する第３レンズと、正の屈折力を有する第４レンズと、正の屈折力を有する第５レンズと、負の屈折力を有する第６レンズとから構成される実質的に６枚のレンズからなり、下記条件式を満足するものである。
０．３８＜Ｄｂ１２／ｆ    （７）
ｆ１２／ｆ＜２．５    （８）
ｆ５／ｆ＜５．０    （９）
νｄ６＜３０    （６）
ただし、
Ｄｂ１２：第１レンズと第２レンズの光軸上の空気間隔
ｆ：全系の焦点距離
ｆ５：第５レンズの焦点距離
ｆ１２：第１レンズと第２レンズの合成焦点距離
νｄ６：第６レンズの材質のｄ線に対するアッベ数
【００１０】
本発明の第４の撮像レンズは、物体側から順に、負の屈折力を有する第１レンズと、正の屈折力を有する第２レンズと、負の屈折力を有する第３レンズと、正の屈折力を有する第４レンズと、正の屈折力を有する第５レンズと、負の屈折力を有する第６レンズとから構成される実質的に６枚のレンズからなり、下記条件式を満足するものである。
−０．１５＜（Ｒ２ｆ＋Ｒ２ｒ）／（Ｒ２ｆ−Ｒ２ｒ）    （１０）
−２．５＜（Ｒ５ｆ＋Ｒ５ｒ）／（Ｒ５ｆ−Ｒ５ｒ）＜−０．２５    （１１）
−４．０＜（Ｒ６ｆ＋Ｒ６ｒ）／（Ｒ６ｆ−Ｒ６ｒ）    （１２）
ただし、
Ｒ２ｆ：第２レンズの物体側の面の近軸曲率半径
Ｒ２ｒ：第２レンズの像側の面の近軸曲率半径
Ｒ５ｆ：第５レンズの物体側の面の近軸曲率半径
Ｒ５ｒ：第５レンズの像側の面の近軸曲率半径
Ｒ６ｆ：第６レンズの物体側の面の近軸曲率半径
Ｒ６ｒ：第６レンズの像側の面の近軸曲率半径
【００１１】
また、本発明の第１、第２、第３、第４の撮像レンズにおいては、下記条件式（２）、（３−４）、（５）、（７）、（８）、（１０）、（１１）、（１３）〜（１８）を満足することが好ましい。なお、好ましい態様としては、これらの条件式のいずれか１つの構成を有するものでもよく、あるいは任意の２つ以上を組合せた構成を有するものでもよい。
ｆ２／ｆ＜１．６８    （２）
１．１＜（Ｒ１ｆ＋Ｒ１ｒ）／（Ｒ１ｆ−Ｒ１ｒ）＜２．０    （３−４）
０．０＜ｆ４／ｆ＜２．４５    （５）
０．３８＜Ｄｂ１２／ｆ    （７）
ｆ１２／ｆ＜２．５    （８）
−０．１５＜（Ｒ２ｆ＋Ｒ２ｒ）／（Ｒ２ｆ−Ｒ２ｒ）    （１０）
−２．５＜（Ｒ５ｆ＋Ｒ５ｒ）／（Ｒ５ｆ−Ｒ５ｒ）＜−０．２５    （１１）
０．０＜Ｒ１ｆ／ｆ    （１３）
−３．０＜ｆ１／ｆ＜−０．５    （１４）
０．１＜ｆ１２／ｆ３４５６＜２．０    （１５）
０．２＜（Ｄ３＋Ｄｂ２３）／ｆ＜３．０    （１６）
−３．０＜ｆ１／ｆ２＜−０．２    （１７）
νｄ３＜３０    （１８）
ただし、
Ｒ１ｆ：第１レンズの物体側の面の近軸曲率半径
Ｒ１ｒ：第１レンズの像側の面の近軸曲率半径
Ｒ２ｆ：第２レンズの物体側の面の近軸曲率半径
Ｒ２ｒ：第２レンズの像側の面の近軸曲率半径
Ｒ５ｆ：第５レンズの物体側の面の近軸曲率半径
Ｒ５ｒ：第５レンズの像側の面の近軸曲率半径
Ｄ３：第２レンズの中心厚
Ｄｂ１２：第１レンズと第２レンズの光軸上の空気間隔
Ｄｂ２３：第２レンズと第３レンズの光軸上の空気間隔
ｆ：全系の焦点距離
ｆ１：第１レンズの焦点距離
ｆ２：第２レンズの焦点距離
ｆ４：第４レンズの焦点距離
ｆ１２：第１レンズと第２レンズの合成焦点距離
ｆ３４５６：第３レンズから第６レンズまでの合成焦点距離
νｄ３：第３レンズの材質のｄ線に対するアッベ数
【００１２】
また、本発明の第１、第２、第３、第４の撮像レンズにおいては、第４レンズが両凸レンズであることが好ましい。
【００１３】
なお、本発明においては、屈折力（パワー）の符号、面の凹凸形状は、非球面が含まれているものについては特に断りのない限り近軸領域で考えるものとする。また、本発明においては、曲率半径の符号は、面形状が物体側に凸面を向けた場合を正、像側に凸面を向けた場合を負とすることにする。
【００１４】
なお、上記の「〜とから構成される実質的に６枚のレンズからなり」の「実質的に」とは、本発明の撮像レンズが６枚のレンズ以外に、実質的にパワーを有さないレンズ、絞りやカバーガラスやフィルタ等のレンズ以外の光学要素、レンズフランジ、レンズバレル、手振れ補正機構等の機構部分、等を含んでもよいことを意図するものである。
【００１５】
本発明の撮像装置は、上記記載の本発明の撮像レンズを備えたものである。
【発明の効果】
【００１６】
本発明の撮像レンズによれば、６枚のレンズ系において、パワー配列を好適に設定し、所定の条件式を満足するように構成しているため、小型かつ広角で、さらなる高性能化が可能なレンズ系を実現することができる。
【００１７】
本発明の撮像装置によれば、本発明の撮像レンズを備えているため、小型に構成でき、広い画角を有し、解像度の高い良好な像を得ることができる。
【図面の簡単な説明】
【００１８】
【図１】本発明の一実施形態にかかる撮像レンズの構成と光路を示す図
【図２】本発明の実施例１の撮像レンズのレンズ構成を示す断面図
【図３】本発明の実施例２の撮像レンズのレンズ構成を示す断面図
【図４】本発明の実施例３の撮像レンズのレンズ構成を示す断面図
【図５】本発明の実施例４の撮像レンズのレンズ構成を示す断面図
【図６】本発明の実施例５の撮像レンズのレンズ構成を示す断面図
【図７】本発明の実施例６の撮像レンズのレンズ構成を示す断面図
【図８】本発明の実施例７の撮像レンズのレンズ構成を示す断面図
【図９】本発明の実施例８の撮像レンズのレンズ構成を示す断面図
【図１０】本発明の実施例９の撮像レンズのレンズ構成を示す断面図
【図１１】本発明の実施例１０の撮像レンズのレンズ構成を示す断面図
【図１２】本発明の実施例１１の撮像レンズのレンズ構成を示す断面図
【図１３】本発明の実施例１２の撮像レンズのレンズ構成を示す断面図
【図１４】本発明の実施例１３の撮像レンズのレンズ構成を示す断面図
【図１５】本発明の実施例１４の撮像レンズのレンズ構成を示す断面図
【図１６】本発明の実施例１５の撮像レンズのレンズ構成を示す断面図
【図１７】本発明の実施例１６の撮像レンズのレンズ構成を示す断面図
【図１８】本発明の実施例１７の撮像レンズのレンズ構成を示す断面図
【図１９】本発明の実施例１８の撮像レンズのレンズ構成を示す断面図
【図２０】本発明の実施例１９の撮像レンズのレンズ構成を示す断面図
【図２１】本発明の実施例２０の撮像レンズのレンズ構成を示す断面図
【図２２】本発明の実施例１９の撮像レンズのレンズ構成を示す断面図
【図２３】本発明の実施例２０の撮像レンズのレンズ構成を示す断面図
【図２４】本発明の実施例１の撮像レンズの諸収差図であり、紙面左側から球面収差図、非点収差図、ディストーション図、倍率色収差図
【図２５】本発明の実施例２の撮像レンズの諸収差図であり、紙面左側から球面収差図、非点収差図、ディストーション図、倍率色収差図
【図２６】本発明の実施例３の撮像レンズの諸収差図であり、紙面左側から球面収差図、非点収差図、ディストーション図、倍率色収差図
【図２７】本発明の実施例４の撮像レンズの諸収差図であり、紙面左側から球面収差図、非点収差図、ディストーション図、倍率色収差図
【図２８】本発明の実施例５の撮像レンズの諸収差図であり、紙面左側から球面収差図、非点収差図、ディストーション図、倍率色収差図
【図２９】本発明の実施例６の撮像レンズの諸収差図であり、紙面左側から球面収差図、非点収差図、ディストーション図、倍率色収差図
【図３０】本発明の実施例７の撮像レンズの諸収差図であり、紙面左側から球面収差図、非点収差図、ディストーション図、倍率色収差図
【図３１】本発明の実施例８の撮像レンズの諸収差図であり、紙面左側から球面収差図、非点収差図、ディストーション図、倍率色収差図
【図３２】本発明の実施例９の撮像レンズの諸収差図であり、紙面左側から球面収差図、非点収差図、ディストーション図、倍率色収差図
【図３３】本発明の実施例１０の撮像レンズの諸収差図であり、紙面左側から球面収差図、非点収差図、ディストーション図、倍率色収差図
【図３４】本発明の実施例１１の撮像レンズの諸収差図であり、紙面左側から球面収差図、非点収差図、ディストーション図、倍率色収差図
【図３５】本発明の実施例１２の撮像レンズの諸収差図であり、紙面左側から球面収差図、非点収差図、ディストーション図、倍率色収差図
【図３６】本発明の実施例１３の撮像レンズの諸収差図であり、紙面左側から球面収差図、非点収差図、ディストーション図、倍率色収差図
【図３７】本発明の実施例１４の撮像レンズの諸収差図であり、紙面左側から球面収差図、非点収差図、ディストーション図、倍率色収差図
【図３８】本発明の実施例１５の撮像レンズの諸収差図であり、紙面左側から球面収差図、非点収差図、ディストーション図、倍率色収差図
【図３９】本発明の実施例１６の撮像レンズの諸収差図であり、紙面左側から球面収差図、非点収差図、ディストーション図、倍率色収差図
【図４０】本発明の実施例１７の撮像レンズの諸収差図であり、紙面左側から球面収差図、非点収差図、ディストーション図、倍率色収差図
【図４１】本発明の実施例１８の撮像レンズの諸収差図であり、紙面左側から球面収差図、非点収差図、ディストーション図、倍率色収差図
【図４２】本発明の実施例１９の撮像レンズの諸収差図であり、紙面左側から球面収差図、非点収差図、ディストーション図、倍率色収差図
【図４３】本発明の実施例２０の撮像レンズの諸収差図であり、紙面左側から球面収差図、非点収差図、ディストーション図、倍率色収差図
【図４４】本発明の実施例２１の撮像レンズの諸収差図であり、紙面左側から球面収差図、非点収差図、ディストーション図、倍率色収差図
【図４５】本発明の実施例２２の撮像レンズの諸収差図であり、紙面左側から球面収差図、非点収差図、ディストーション図、倍率色収差図
【図４６】本発明の実施形態にかかる車載用の撮像装置の配置を説明するための図
【発明を実施するための形態】
【００１９】
以下、本発明の実施形態について図面を参照して詳細に説明する。
【００２０】
〔撮像レンズの実施形態〕
まず、図１を参照しながら、本発明の実施形態にかかる撮像レンズについて説明する。図１は、本発明の一実施形態に係る撮像レンズ１の構成と光路を示す図である。なお、図１に示す撮像レンズ１は後述する本発明の実施例１に係る撮像レンズに対応するものである。図１では、図の左側が物体側、右側が像側であり、無限遠の距離にある物点からの軸上光束２、最大全画角に関する軸外光束３、４も併せて示してある。
【００２１】
図１では、撮像レンズ１が撮像装置に適用される場合を考慮して、撮像レンズ１の像点Ｐｉｍを含む像面Ｓｉｍに配置された撮像素子５も図示している。撮像素子５は、撮像レンズ１により形成される光学像を電気信号に変換するものであり、例えばＣＣＤイメージセンサやＣＭＯＳイメージセンサ等を用いることができる。
【００２２】
なお、撮像レンズ１を撮像装置に適用する際には、レンズを装着するカメラ側の構成に応じて、カバーガラスや、ローパスフィルタまたは赤外線カットフィルタ等を設けることが好ましく、図１では、これらを想定した平行平板状の光学部材ＰＰを最も像側のレンズと撮像素子５（像面Ｓｉｍ）の間に配置した例を示している。
【００２３】
撮像レンズ１は、物体側から順に、負の屈折力を有する第１レンズＬ１と、正の屈折力を有する第２レンズＬ２と、負の屈折力を有する第３レンズＬ３と、正の屈折力を有する第４レンズＬ４と、正の屈折力を有する第５レンズＬ５と、負の屈折力を有する第６レンズＬ６とから構成される実質的に６枚のレンズからなる。なお、図１には開口絞りＳｔも図示しているが、図示されている開口絞りＳｔは、形状や大きさを表すものではなく、光軸Ｚ上の位置を示すものである。
【００２４】
最も物体側に負の第１レンズＬ１を配置することで広角化に有利となる。第３レンズＬ３、第４レンズＬ４をそれぞれ負レンズ、正レンズとすることで、軸上色収差の良好な補正に有利となる。第５レンズＬ５、第６レンズＬ６をそれぞれ正レンズ、負レンズとすることで、倍率の色収差の良好な補正に有利となる。物体側から順に、負、正、負、正、正、負のパワー配列とすることで、小さなＦナンバー、広い画角、良好な解像性能の実現に有利となる。
【００２５】
撮像レンズ１は、以下の条件式（１）〜（２１）のいずれか１つまたは任意の組合せを満足することが好ましい。
１．０＜（Ｄｂ１２＋Ｄ３）／ｆ    （１）
ｆ２／ｆ＜１．６８    （２）
１．０＜（Ｒ１ｆ＋Ｒ１ｒ）／（Ｒ１ｆ−Ｒ１ｒ）    （３）
１．６＜ｆ３４５６／ｆ    （４）
０．０＜ｆ４／ｆ＜２．４５    （５）
νｄ６＜３０    （６）
０．３８＜Ｄｂ１２／ｆ    （７）
ｆ１２／ｆ＜２．５    （８）
ｆ５／ｆ＜５．０    （９）
−０．１５＜（Ｒ２ｆ＋Ｒ２ｒ）／（Ｒ２ｆ−Ｒ２ｒ）    （１０）
−２．５＜（Ｒ５ｆ＋Ｒ５ｒ）／（Ｒ５ｆ−Ｒ５ｒ）＜−０．２５    （１１）
−４．０＜（Ｒ６ｆ＋Ｒ６ｒ）／（Ｒ６ｆ−Ｒ６ｒ）    （１２）
０．０＜Ｒ１ｆ／ｆ    （１３）
−３．０＜ｆ１／ｆ＜−０．５    （１４）
０．１＜ｆ１２／ｆ３４５６＜２．０    （１５）
０．２＜（Ｄ３＋Ｄｂ２３）／ｆ＜３．０    （１６）
−３．０＜ｆ１／ｆ２＜−０．２    （１７）
νｄ３＜３０    （１８）
０．３＜ｆ４／ｆ５    （１９）
０．３＜ｆ５６／ｆ    （２０）
０．１７＜Ｄｂ２３／ｆ    （２１）
ただし、
Ｒ１ｆ：第１レンズの物体側の面の近軸曲率半径
Ｒ１ｒ：第１レンズの像側の面の近軸曲率半径
Ｒ２ｆ：第２レンズの物体側の面の近軸曲率半径
Ｒ２ｒ：第２レンズの像側の面の近軸曲率半径
Ｒ５ｆ：第５レンズの物体側の面の近軸曲率半径
Ｒ５ｒ：第５レンズの像側の面の近軸曲率半径
Ｒ６ｆ：第６レンズの物体側の面の近軸曲率半径
Ｒ６ｒ：第６レンズの像側の面の近軸曲率半径
Ｄ３：第２レンズの中心厚
Ｄｂ１２：第１レンズと第２レンズの光軸上の空気間隔
Ｄｂ２３：第２レンズと第３レンズの光軸上の空気間隔
ｆ：全系の焦点距離
ｆ１：第１レンズの焦点距離
ｆ２：第２レンズの焦点距離
ｆ４：第４レンズの焦点距離
ｆ５：第５レンズの焦点距離
ｆ１２：第１レンズと第２レンズの合成焦点距離
ｆ５６：第５レンズと第６レンズの合成焦点距離
ｆ３４５６：第３レンズから第６レンズまでの合成焦点距離
νｄ３：第３レンズの材質のｄ線に対するアッベ数
νｄ６：第６レンズの材質のｄ線に対するアッベ数
【００２６】
条件式（１）の下限以下とならないように構成することで、第１レンズＬ１と第２レンズＬ２の空気間隔、第２レンズＬ２の中心厚を大きくすることが容易となり、非点収差とディストーションの補正が容易となる。
【００２７】
条件式（２）の上限以上とならないように構成することで、第２レンズＬ２のパワーを強くすることが容易となり、非点収差の補正が容易となる。
【００２８】
条件式（３）の下限以下とならないように構成することで、負レンズである第１レンズＬ１を物体側に凸面を向けたメニスカスレンズとすることができ、ディストーションの補正が容易となる。
【００２９】
条件式（４）の下限以下とならないように構成することで、第３レンズＬ３から第５レンズＬ５の合成パワーが強くなりすぎることを防ぐのが容易となり、バックフォーカスを長くすることが容易となる。
【００３０】
条件式（５）の上限以上とならないように構成することで、第４レンズＬ４のパワーを強くすることが容易となり、第３レンズＬ３と第４レンズＬ４とを協働させて軸上色収差を補正することが容易となる。条件式（５）の下限以下とならないように構成することで、第４レンズＬ４のパワーが強くなりすぎるのを抑えることが容易となり、第４レンズＬ４と第５レンズとで正のパワーを分割することが容易となり、球面収差の補正が容易となる。
【００３１】
条件式（６）の上限以上とならないように構成することで、第６レンズＬ６のアッベ数を小さくすることが容易となり、倍率の色収差の補正が容易となる。
【００３２】
条件式（７）の下限以下とならないように構成することで、第１レンズＬ１と第２レンズＬ２の空気間隔を大きくすることが容易となり、非点収差とディストーションの補正が容易となる。
【００３３】
条件式（８）の上限以上とならないように構成することで、第１レンズＬ１と第２レンズＬ２の合成焦点距離を小さく抑えることが容易となり、非点収差の補正が容易となる。
【００３４】
条件式（９）の上限以上とならないように構成することで、第５レンズＬ５のパワーを強くすることが容易となり、第５レンズＬ５と第６レンズＬ６とを協働させて倍率の色収差を補正することが容易となるか、周辺光線が撮像素子へ入射する角度が大きくなるのを抑えることが容易となり、シェーディングを抑えることが容易となる。
【００３５】
条件式（１０）の下限以下とならないように構成することで、第２レンズＬ２の物体側の面の曲率半径の絶対値を大きくすることが容易となり、非点収差の補正が容易となる。
【００３６】
第５レンズは正レンズのため、条件式（１１）を満足することで、第５レンズＬ５を物体側の面の曲率半径が像側の面の曲率半径より小さいレンズとすることが可能となる。これにより、球面収差と非点収差の補正が容易となる。条件式（１１）の上限以上とならないように構成することで、物体側の面の曲率半径の絶対値が像側の面の曲率半径の絶対値より小さいレンズとすることが容易となる。これにより、球面収差と非点収差の補正が容易となる。条件式（１１）の下限以下とならないように構成することで、第５レンズＬ５のパワーを強くすることが容易となり、周辺光線が撮像素子に入射する角度が大きくなるのを抑えることが容易となる。
【００３７】
条件式（１２）の下限以下とならないように構成することで、第６レンズＬ６のパワーが弱くなりすぎるのを抑えることが容易となり、倍率の色収差の補正が容易となる。
【００３８】
条件式（１３）の下限以下とならないように構成することで、第１レンズＬ１の物体側の面を凸面とすることができ、第１レンズＬ１の物体側の面で光線が大きく屈折されるのを抑えることが容易となり、ディストーションの補正が容易となる。
【００３９】
条件式（１４）の上限以上とならないように構成することで、第１レンズＬ１のパワーを抑えることが容易となり、像面湾曲とディストーションの補正が容易となる。条件式（１４）の下限以下とならないように構成することで、第１レンズＬ１のパワーを確保することが容易となり、広角化が容易となる。
【００４０】
条件式（１５）の上限以上とならないように構成することで、第１レンズＬ１、第２レンズＬ２の合成パワーを強くすることが容易となり、レンズ系の小型化と、非点収差の補正が容易となる、または、第３レンズＬ３から第６レンズＬ６の合成パワーを抑えることが容易となり、バックフォーカスを長くすることが容易となる。条件式（１５）の下限以下とならないように構成することで、第１レンズＬ１と第２レンズＬ２の合成パワーを抑えることが容易となり、広角化が容易となる、または、第３レンズＬ３から第６レンズＬ６の合成パワーを強くすることが容易となり、球面収差の補正と、周辺の光線が撮像素子へ入射する角度が大きくなるのを抑えることが容易となる。
【００４１】
条件式（１６）の上限以上とならないように構成することで、レンズ系の小型化が容易となる。条件式（１６）の下限以下とならないように構成することで、第２レンズＬ２の中心厚を大きくする、もしくは、第２レンズＬ２と第３レンズＬ３の間隔を広くすることが容易となり、球面収差、非点収差の補正が容易となる。
【００４２】
条件式（１７）の上限以上とならないように構成することで、第１レンズＬ１のパワーを抑えることが容易となる、または、第２レンズＬ２のパワーを強くすることが容易となり、球面収差、非点収差の補正が容易となる。条件式（１７）の下限以下とならないように構成することで、第１レンズＬ１のパワーを強くすることが容易となり、広角化が容易となる。
【００４３】
条件式（１８）の上限以上とならないように構成することで、軸上の色収差を良好に補正することが容易となる。
【００４４】
条件式（１９）の下限以下とならないように構成することで、第４レンズＬ４のパワーが強くなりすぎるのを抑えることが容易となる、または、第５レンズＬ５のパワーが弱くなりすぎるのを抑えることが容易となり、第４レンズＬ４、第５レンズＬ５のどちらかにパワーが偏るのを防ぐことが容易となり、球面収差を良好に補正することが容易となる。
【００４５】
条件式（２０）の下限以下とならないように構成することで、第５レンズＬ５と第６レンズＬ６の合成焦点距離を正の値で大きくすることが容易となり、バックフォーカスを長くすることが容易となる。
【００４６】
条件式（２１）の下限以下とならないように構成することで、第２レンズＬ２と第３レンズＬ３の空気間隔を大きくすることが容易となり、球面収差と非点収差の補正が容易となる。
【００４７】
なお、上記の作用効果を高めるためには、上記の各条件式について、以下の変更値のように下限または上限を変更したり、さらに以下のように上限を追加したり、下限を追加したりしたものを満足することが好ましい。下記に例として好ましい条件式の変更例も記載するが、好ましい態様としては、式として記載されたものに限定されず、以下に述べる下限の変更値と上限の変更値とを組み合わせて構成される条件式を満足するものでもよい。
【００４８】
条件式（１）の下限の変更値は１．０８であることが好ましく、１．１２であることがさらに好ましく、１．１８であることがさらにより好ましい。条件式（１）に上限を追加してもよく、その上限は５．０とすることが好ましく、これにより第１レンズＬ１と第２レンズＬ２の空気間隔と、第２レンズＬ２の中心厚を抑えることが容易となり、レンズ系の小型化が容易となる。条件式（１）に追加する上限の変更値は３．０とすることが好ましく、２．０とすることがさらに好ましく、１．８とすることがさらにより好ましい。上記より、例えば下記条件式の少なくとも１つを満足することがより好ましい。
１．０＜（Ｄｂ１２＋Ｄ３）／ｆ＜５．０    （１−１）
１．０＜（Ｄｂ１２＋Ｄ３）／ｆ＜３．０    （１−２）
１．０８＜（Ｄｂ１２＋Ｄ３）／ｆ＜２．０    （１−３）
１．１２＜（Ｄｂ１２＋Ｄ３）／ｆ＜１．８    （１−４）
１．１８＜（Ｄｂ１２＋Ｄ３）／ｆ＜３．０    （１−５）
【００４９】
条件式（２）の上限の変更値は１．５であることが好ましく、１．４であることがさらに好ましく、１．３であることがさらにより好ましい。条件式（２）に下限を追加してもよく、その下限は０．３とすることが好ましく、これにより第２レンズＬ２のパワーが強くなりすぎるのを抑えることが容易となり、偏心に対する製造誤差の許容量を大きくすることができ、低コスト化が容易となる。条件式（２）に追加する下限の変更値は０．５とすることが好ましく、０．８とすることがさらに好ましい。上記より、例えば下記条件式の少なくとも１つを満足することがより好ましい。
０．３＜ｆ２／ｆ＜１．６８    （２−１）
０．３＜ｆ２／ｆ＜１．５    （２−２）
０．５＜ｆ２／ｆ＜１．５    （２−３）
０．８＜ｆ２／ｆ＜１．４    （２−４）
０．３＜ｆ２／ｆ＜１．３    （２−５）
【００５０】
条件式（３）の下限の変更値は、１．１であることが好ましく、１．２であることがさらに好ましい。条件式（３）に上限を追加してもよく、その上限は３．０とすることが好ましく、これにより第１レンズＬ１の物体側の面と像側の面の曲率半径の絶対値の差を大きくすることが容易となり、広角化が容易となる。条件式（３）に追加する上限の変更値は２．７とすることがさらに好ましく、２．４とすることがさらにより好ましく、２．２とすることがさらによりいっそう好ましく、２．０とすることが特に好ましく、１．８とすることがさらに特に好ましい。上記より、例えば下記条件式の少なくとも１つを満足することがより好ましい。
１．２＜（Ｒ１ｆ＋Ｒ１ｒ）／（Ｒ１ｆ−Ｒ１ｒ）    （３−１）
１．１＜（Ｒ１ｆ＋Ｒ１ｒ）／（Ｒ１ｆ−Ｒ１ｒ）＜３．０    （３−２）
１．１＜（Ｒ１ｆ＋Ｒ１ｒ）／（Ｒ１ｆ−Ｒ１ｒ）＜２．２    （３−３）
１．１＜（Ｒ１ｆ＋Ｒ１ｒ）／（Ｒ１ｆ−Ｒ１ｒ）＜２．０    （３−４）
１．１＜（Ｒ１ｆ＋Ｒ１ｒ）／（Ｒ１ｆ−Ｒ１ｒ）＜１．８    （３−５）
１．２＜（Ｒ１ｆ＋Ｒ１ｒ）／（Ｒ１ｆ−Ｒ１ｒ）＜２．７    （３−６）
１．２＜（Ｒ１ｆ＋Ｒ１ｒ）／（Ｒ１ｆ−Ｒ１ｒ）＜２．４    （３−７）
１．２＜（Ｒ１ｆ＋Ｒ１ｒ）／（Ｒ１ｆ−Ｒ１ｒ）＜２．２    （３−８）
【００５１】
条件式（４）の下限の変更値は、１．７であることが好ましく、１．９であることがさらに好ましく、２．０であることがさらにより好ましい。条件式（４）に上限を追加してもよく、その上限は１０．０とすることが好ましく、これにより第３レンズＬ３から第５レンズＬ５の合成パワーを強くすることが容易となり、球面収差、非点収差の補正が容易となる。条件式（４）に追加する上限の変更値は７．０であることが好ましく、５．０であることがさらに好ましく、４．０であることがさらにより好ましく、３．５であることがさらによりいっそう好ましい。上記より、例えば下記条件式の少なくとも１つを満足することがより好ましい。
１．６＜ｆ３４５６／ｆ＜１０．０    （４−１）
１．７＜ｆ３４５６／ｆ＜７．０    （４−２）
１．９＜ｆ３４５６／ｆ＜４．０    （４−３）
２．０＜ｆ３４５６／ｆ＜３．５    （４−４）
【００５２】
条件式（５）の上限の変更値は２．４とすることが好ましく、２．３とすることがさらに好ましく、２．２とすることがさらにより好ましい。条件式（５）の下限の変更値は０．４とすることが好ましく、０．６とすることがさらに好ましく、０．９とすることがさらにより好ましく、１．１とすることがさらによりいっそう好ましい。上記より、例えば下記条件式の少なくとも１つを満足することがより好ましい。
０．４＜ｆ４／ｆ＜２．４５    （５−１）
０．６＜ｆ４／ｆ＜２．４    （５−２）
０．９＜ｆ４／ｆ＜２．３    （５−３）
１．１＜ｆ４／ｆ＜２．２    （５−４）
【００５３】
条件式（６）の上限の変更値は２８とすることが好ましく、２６とすることがさらに好ましく、２４とすることがさらにより好ましい。条件式（６）に下限を追加してもよく、その下限は１８とすることが好ましく、これにより第６レンズＬ６のアッベ数が小さすぎて、材質のコストが高くなることを抑えることが容易となる。条件式（６）に追加する下限の変更値は１９とすることが好ましく、２０とすることがさらに好ましい。上記より、例えば下記条件式の少なくとも１つを満足することがより好ましい。
νｄ６＜２８    （６−１）
νｄ６＜２６    （６−２）
νｄ６＜２４    （６−３）
１８＜νｄ６＜２８    （６−４）
１９＜νｄ６＜２６    （６−５）
１９＜νｄ６＜２４    （６−６）
２０＜νｄ６＜３０    （６−７）
【００５４】
条件式（７）に上限を追加してもよく、その上限は４．０とすることが好ましく、これにより第１レンズＬ１と第２レンズＬ２の空気間隔が大きくなるのを抑えることが容易となり、レンズ系の小型化が容易となる。条件式（７）に追加する上限の変更値は３．０とすることが好ましく、２．０とすることがさらに好ましく、１．０とすることがさらにより好ましい。上記より、例えば下記条件式の少なくとも１つを満足することがより好ましい。
０．３８＜Ｄｂ１２／ｆ＜４．０    （７−１）
０．３８＜Ｄｂ１２／ｆ＜３．０    （７−２）
０．３８＜Ｄｂ１２／ｆ＜２．０    （７−３）
０．３８＜Ｄｂ１２／ｆ＜１．０    （７−４）
【００５５】
条件式（８）の上限の変更値は３．０とすることが好ましく、２．５とすることがさらに好ましく、２．０とすることがさらにより好ましく、１．８とすることがさらによりいっそう好ましい。条件式（８）に下限を追加してもよく、その下限は０．５とすることが好ましく、これにより第１レンズＬ１と第２レンズＬ２の合成焦点距離を正の値で大きくすることが容易となり、広角化が容易となる。条件式（８）に追加する下限の変更値は０．８とすることが好ましく、１．０とすることがさらに好ましい。上記より、例えば下記条件式の少なくとも１つを満足することがより好ましい。
０．５＜ｆ１２／ｆ＜２．５    （８−１）
０．５＜ｆ１２／ｆ＜２．０    （８−２）
０．８＜ｆ１２／ｆ＜３．０    （８−３）
１．０＜ｆ１２／ｆ＜２．５    （８−４）
１．０＜ｆ１２／ｆ＜２．０    （８−５）
【００５６】
条件式（９）の上限の変更値は３．４とすることが好ましく、３．２とすることがさらに好ましく、３．０とすることがさらにより好ましく、２．８とすることがさらによりいっそう好ましい。条件式（９）に下限を追加してもよく、その下限は０．３とすることが好ましく、これにより第５レンズＬ５のパワーが強くなりすぎるのを抑えることが容易となり、バックフォーカスを長くすることが容易となるか、偏心に対する製造誤差の許容量を大きくすることができ、低コスト化が容易となる。条件式（９）に追加する下限の変更値は、０．５とすることがより好ましく、０．８とすることがより好ましい。上記より、例えば下記条件式の少なくとも１つを満足することがより好ましい。
０．３＜ｆ５／ｆ＜５．０    （９−１）
０．３＜ｆ５／ｆ＜３．４    （９−２）
０．５＜ｆ５／ｆ＜３．２    （９−３）
０．８＜ｆ５／ｆ＜３．０    （９−４）
【００５７】
条件式（１０）の下限の変更値は−０．１０とすることが好ましく、−０．０５とすることがさらに好ましく、０．００とすることがさらにより好ましい。条件式（１０）に上限を追加してもよく、その上限は０．９とすることが好ましい。これにより第２レンズＬ２のパワーを強くすることが容易となり、非点収差の補正が容易となる。条件式（１０）に追加する上限の変更値は０．７とすることが好ましく、０．５とすることがさらに好ましく、０．４とすることがさらにより好ましい。上記より、例えば下記条件式の少なくとも１つを満足することがより好ましい。
−０．１５＜（Ｒ２ｆ＋Ｒ２ｒ）／（Ｒ２ｆ−Ｒ２ｒ）＜０．９    （１０−１）
−０．１０＜（Ｒ２ｆ＋Ｒ２ｒ）／（Ｒ２ｆ−Ｒ２ｒ）＜０．９    （１０−２）
−０．１０＜（Ｒ２ｆ＋Ｒ２ｒ）／（Ｒ２ｆ−Ｒ２ｒ）＜０．７    （１０−３）
−０．０５＜（Ｒ２ｆ＋Ｒ２ｒ）／（Ｒ２ｆ−Ｒ２ｒ）＜０．５    （１０−４）
【００５８】
条件式（１１）の上限の変更値は−０．２６とすることが好ましく、−０．２７とすることがさらに好ましく、−０．２８とすることがさらにより好ましい。条件式（１１）の下限の変更値は−２．０とすることが好ましく、−１．７とすることがさらに好ましく、−１．５とすることがさらにより好ましく、−１．２とすることがさらによりいっそう好ましい。上記より、例えば下記条件式の少なくとも１つを満足することがより好ましい。
−２．０＜（Ｒ５ｆ＋Ｒ５ｒ）／（Ｒ５ｆ−Ｒ５ｒ）＜−０．２６    （１１−１）
−１．７＜（Ｒ５ｆ＋Ｒ５ｒ）／（Ｒ５ｆ−Ｒ５ｒ）＜−０．２６    （１１−２）
−１．４＜（Ｒ５ｆ＋Ｒ５ｒ）／（Ｒ５ｆ−Ｒ５ｒ）＜−０．２７    （１１−３）
−１．２＜（Ｒ５ｆ＋Ｒ５ｒ）／（Ｒ５ｆ−Ｒ５ｒ）＜−０．２８    （１１−４）
【００５９】
条件式（１２）の下限の変更値は−３．８とすることが好ましく、−３．５とすることがさらに好ましく、−３．０とすることがさらにより好ましい。条件式（１２）に上限を追加してもよく、その上限は−０．１とすることが好ましい。これにより第６レンズＬ６の像側の面が凹面で、その曲率半径の絶対値が小さくなりすぎるのを防ぐことができ、周辺光線が撮像素子へ入射する角度が大きくなるのを抑えることが容易となる。条件式（１２）に追加する上限の変更値は−０．３とすることが好ましく、−０．５とすることがさらに好ましく、−０．６とすることがさらにより好ましい。上記より、例えば下記条件式の少なくとも１つを満足することがより好ましい。
−４．０＜（Ｒ６ｆ＋Ｒ６ｒ）／（Ｒ６ｆ−Ｒ６ｒ）＜−０．１    （１２−１）
−３．８＜（Ｒ６ｆ＋Ｒ６ｒ）／（Ｒ６ｆ−Ｒ６ｒ）＜−０．３    （１２−２）
−３．５＜（Ｒ６ｆ＋Ｒ６ｒ）／（Ｒ６ｆ−Ｒ６ｒ）＜−０．５    （１２−３）
−３．０＜（Ｒ６ｆ＋Ｒ６ｒ）／（Ｒ６ｆ−Ｒ６ｒ）＜−０．６    （１２−４）
【００６０】
条件式（１３）の下限の変更値は０．３とすることが好ましい。これにより第１レンズＬ１の物体側の面の曲率半径が小さくなりすぎるのを抑えることが容易となり、第１レンズＬ１のパワーを強くすることが容易となり、広角化が容易となる。条件式（１３）の下限の変更値は０．８とすることがさらに好ましく、１．０とすることがさらにより好ましく、１．５とすることがさらによりいっそう好ましい。条件式（１３）に上限を追加してもよく、その上限は３０とすることが好ましい。これにより第１レンズＬ１の物体側の面の曲率半径を小さくすることが容易となり、ディストーションの補正が容易となる。条件式（１３）に追加する上限の変更値は２０とすることがさらに好ましく、１０とすることがさらにより好ましく、７とすることがさらによりいっそう好ましい。上記より、例えば下記条件式の少なくとも１つを満足することがより好ましい。
０．０＜Ｒ１ｆ／ｆ＜３０    （１３−１）
０．３＜Ｒ１ｆ／ｆ＜２０    （１３−２）
０．８＜Ｒ１ｆ／ｆ＜３０    （１３−３）
１．５＜Ｒ１ｆ／ｆ＜１０    （１３−４）
【００６１】
条件式（１４）の上限の変更値は−０．７とすることが好ましく、−０．８とすることがさらに好ましく、−０．９とすることがさらにより好ましい。条件式（１４）の下限の変更値は−２．８とすることが好ましく、−２．５とすることがさらに好ましく、−２．０とすることがさらにより好ましい。上記より、例えば下記条件式の少なくとも１つを満足することがより好ましい。
−２．８＜ｆ１／ｆ＜−０．７    （１４−１）
−２．５＜ｆ１／ｆ＜−０．８    （１４−２）
−２．０＜ｆ１／ｆ＜−０．９    （１４−３）
【００６２】
条件式（１５）の上限の変更値は１．５とすることが好ましく、１．０とすることがさらに好ましく、０．９とすることがさらにより好ましい。条件式（１５）の下限の変更値は０．２とすることが好ましく、０．２５とすることがさらに好ましく、０．３とすることがさらにより好ましい。上記より、例えば下記条件式の少なくとも１つを満足することがより好ましい。
０．１＜ｆ１２／ｆ３４５６＜１．５    （１５−１）
０．２＜ｆ１２／ｆ３４５６＜１．０    （１５−２）
０．３＜ｆ１２／ｆ３４５６＜０．９    （１５−３）
【００６３】
条件式（１６）の上限の変更値は２．５とすることが好ましく、２．０とすることがさらに好ましく、１．５とすることがさらにより好ましい。条件式（１６）の下限の変更値は０．４とすることが好ましく、０．６とすることがさらに好ましく、０．７とすることがさらにより好ましい。上記より、例えば下記条件式の少なくとも１つを満足することがより好ましい。
０．４＜（Ｄ３＋Ｄｂ２３）／ｆ＜２．５    （１６−１）
０．６＜（Ｄ３＋Ｄｂ２３）／ｆ＜２．０    （１６−２）
０．７＜（Ｄ３＋Ｄｂ２３）／ｆ＜１．５    （１６−３）
【００６４】
条件式（１７）の上限の変更値は−０．４とすることが好ましく、−０．６とすることがさらに好ましく、−０．８とすることがさらにより好ましい。条件式（１７）の下限の変更値は−２．５とすることが好ましく、−２．０とすることがさらに好ましく、−１．５とすることがさらにより好ましい。上記より、例えば下記条件式の少なくとも１つを満足することがより好ましい。
−２．５＜ｆ１／ｆ２＜−０．４    （１７−１）
−２．０＜ｆ１／ｆ２＜−０．６    （１７−２）
−１．５＜ｆ１／ｆ２＜−０．８    （１７−３）
【００６５】
条件式（１８）の上限の変更値は２７とすることが好ましく、２６とすることがさらに好ましく、２５とすることがさらにより好ましく、２４とすることがさらによりいっそう好ましい。条件式（１８）に下限を追加してもよく、その下限は１９とすることが好ましく、これにより第３レンズＬ３の材質のコストを抑えることが容易となり、レンズ系を安価にすることが容易となる。条件式（１８）に追加する下限の変更値は、２０とすることがさらに好ましい。上記より、例えば下記条件式の少なくとも１つを満足することがより好ましい。
νｄ３＜２７    （１８−１）
νｄ３＜２６    （１８−２）
νｄ３＜２５    （１８−３）
νｄ３＜２４      （１８−４）
１９＜νｄ３＜２７    （１８−５）
１９＜νｄ３＜２６    （１８−６）
１９＜νｄ３＜２５    （１８−７）
２０＜νｄ３＜２４    （１８−８）
【００６６】
条件式（１９）の下限の変更値は０．４とすることが好ましく、０．５とすることがさらに好ましく、０．６とすることがさらにより好ましい。条件式（１９）に上限を追加してもよく、その上限は３．０とすることが好ましく、これにより第５レンズＬ５のパワーが強くなりすぎるか、第４レンズＬ４のパワーが弱くなりすぎるのを抑えることが容易となり、第４レンズＬ４、第５レンズＬ５のどちらかににパワーが偏るのを防ぐことが容易となり、球面収差を良好に補正することが容易となる。条件式（１９）に追加する上限の変更値は２．７とすることがさらに好ましく、２．４とすることがさらにより好ましい。上記より、例えば下記条件式の少なくとも１つを満足することがより好ましい。
０．４＜ｆ４／ｆ５    （１９−１）
０．３＜ｆ４／ｆ５＜３．０    （１９−２）
０．５＜ｆ４／ｆ５＜２．７    （１９−３）
０．６＜ｆ４／ｆ５＜２．４    （１９−４）
【００６７】
条件式（２０）の下限の変更値は０．５とすることが好ましく、１．０とすることがさらに好ましく、１．４とすることがさらにより好ましい。条件式（２０）に上限を追加してもよく、その上限は３０とすることが好ましく、これにより第５レンズＬ５と第６レンズＬ６の合成屈折力を強くすることが容易となるため、周辺光線が撮像素子へ入射する角度が大きくなるのを抑えることが容易となる。条件式（２０）に追加する上限の変更値は２５とすることが好ましく、２０とすることがさらに好ましく、１５とすることがさらにより好ましい。上記より、例えば下記条件式の少なくとも１つを満足することがより好ましい。
０．３＜ｆ５６／ｆ＜３０    （２０−１）
０．５＜ｆ５６／ｆ＜２５    （２０−２）
１．０＜ｆ５６／ｆ＜２０    （２０−３）
１．４＜ｆ５６／ｆ＜１５    （２０−４）
【００６８】
条件式（２１）の下限の変更値は０．１８とすることが好ましく、０．１９とすることがさらに好ましい。条件式（２１）に上限を追加してもよく、その上限は３．０とすることが好ましく、これにより第２レンズＬ２と第３レンズＬ３の空気間隔が大きくなりすぎるのを抑えることが容易となり、小型化が容易となる。条件式（２１）に追加する上限の変更値は２．５とすることが好ましく、２．０とすることがさらに好ましく、１．０とすることがさらにより好ましく、０．８とすることがさらによりいっそう好ましい。上記より、例えば下記条件式の少なくとも１つを満足することがより好ましい。
０．１７＜Ｄｂ２３／ｆ＜３．０    （２１−１）
０．１８＜Ｄｂ２３／ｆ＜２．０    （２１−２）
０．１９＜Ｄｂ２３／ｆ＜１．０    （２１−３）
【００６９】
第１レンズＬ１の材質のｄ線に対するアッベ数をνｄ１としたとき、νｄ１は４０より大きいことが好ましく、これにより軸上の色収差、倍率の色収差を良好に補正することが容易となる。νｄ１は４５より大きいことがさらに好ましく、５０より大きいことがさらにより好ましい。
【００７０】
第２レンズＬ２の材質のｄ線に対するアッベ数をνｄ２としたとき、νｄ２は３０より大きいことが好ましく、これにより軸上の色収差を良好に補正することが容易となる。νｄ２は３５より大きいことがさらに好ましく、３８より大きいことがさらにより好ましい。また、νｄ２は６０より小さいことが好ましく、これにより第２レンズＬ２の材質のコストを下げることが容易となると共に、倍率の色収差の補正も容易となる。νｄ２は５５より小さいことがさらに好ましく、５０より小さいことがさらにより好ましい。
【００７１】
νｄ１／νｄ２は１．０以上であることが好ましい。これにより第１レンズＬ１のアッベ数を大きくすることが容易となり、軸上の色収差の補正が容易となるか、第２レンズＬ２の材質のアッベ数が大きくなりすぎるのを抑えることが容易となり、倍率の色収差の補正が容易となる。また、νｄ１／νｄ２は１．６以下であることが好ましい。これにより第２レンズＬ２の材質のアッベ数が小さくなりすぎるのを抑えることが容易となり軸上の色収差の補正が容易となる。
【００７２】
第３レンズＬ３の材質のｄ線に対するアッベ数の好ましい範囲については、条件式（１８）と、その関連事項について上述した通りである。
【００７３】
第４レンズＬ４の材質のｄ線に対するアッベ数をνｄ４としたとき、νｄ４は４０より大きいことが好ましく、これにより軸上の色収差、倍率の色収差の補正が容易となる。νｄ４は４５より大きいことがさらに好ましく、５０より大きいことがさらにより好ましい。また、νｄ４は７０より小さいことが好ましく、これにより第４レンズＬ４の材質のコストを抑えることが容易となり、レンズ系を安価にすることが容易となる。νｄ４は６５より小さいことがさらに好ましく、６０より小さいことがさらにより好ましい。
【００７４】
第５レンズＬ５の材質のｄ線に対するアッベ数をνｄ５としたとき、νｄ５は４０より大きいことが好ましく、これにより軸上の色収差、倍率の色収差の補正が容易となる。νｄ５は４５より大きいことがさらに好ましく、５０より大きいことがさらにより好ましい。また、νｄ５は７０より小さいことが好ましく、これにより第５レンズＬ５の材質のコストを抑えることが容易となり、レンズ系を安価にすることが容易となる。νｄ５は６５より小さいことがさらに好ましく、６０より小さいことがさらにより好ましい。
【００７５】
第６レンズＬ６の材質のｄ線に対するアッベ数の好ましい範囲については、条件式（６）と、その関連事項について上述した通りである。
【００７６】
第１レンズＬ１の材質のｄ線に対する屈折率をＮｄ１としたとき、Ｎｄ１は１．５より大きいことが好ましく、これにより第１レンズＬ１の屈折率を高くすることが容易となり、レンズ系の広角化が容易となる。Ｎｄ１は１．５１より大きいことがさらに好ましく、１．５５より大きいことがさらにより好ましい。また、Ｎｄ１は１．８５より小さいことが好ましく、これにより第１レンズＬ１の材質を安価にすることが容易となる。Ｎｄ１は１．８２より小さいことがさらに好ましく、１．８０より小さいことがさらにより好ましい。
【００７７】
第２レンズＬ２の材質のｄ線に対する屈折率をＮｄ２としたとき、Ｎｄ２は１．７０より大きいことが好ましく、これにより像面湾曲の補正が容易となる。Ｎｄ２は１．７２より大きいことがさらに好ましく、１．７５より大きいことがさらにより好ましい。また、Ｎｄ２は１．９５より小さいことが好ましく、これにより第２レンズＬ２の材質を安価にすることが容易となる。Ｎｄ２は１．９０より小さいことがさらに好ましい。
【００７８】
第３レンズＬ３の材質のｄ線に対する屈折率をＮｄ３としたとき、Ｎｄ３は１．５０より大きいことが好ましく、これにより第３レンズＬ３のパワーを強くすることが容易となり、軸上の色収差の補正が容易となる。Ｎｄ３は１．５５より大きいことがさらに好ましく、１．５８より大きいことがさらにより好ましい。また、Ｎｄ３は１．７０より小さいことが好ましく、これにより第３レンズＬ３の材質のｄ線に対する屈折率を低くすることができ、第３レンズＬ３のコストを抑えることが容易となる。Ｎｄ３は１．６８より小さいことがさらに好ましく、１．６５より小さいことがさらにより好ましい。上記より、例えば下記条件式の少なくとも１つを満足することがより好ましい。
Ｎｄ３＜１．７    （２２）
Ｎｄ３＜１．６８    （２２−１）
１．５０＜Ｎｄ３＜１．６５    （２２−２）
１．５５＜Ｎｄ３＜１．６８    （２２−３）
１．５８＜Ｎｄ３＜１．７    （２２−４）
【００７９】
第４レンズＬ４の材質のｄ線に対する屈折率をＮｄ４としたとき、Ｎｄ４は１．４５より大きいことが好ましく、これにより像面湾曲の補正が容易となる。Ｎｄ４は１．４８より大きいことがさらに好ましく、１．４９より大きいことがさらにより好ましく、１．５０より大きいことがさらによりいっそう好ましい。また、Ｎｄ４は１．６０より小さいことが好ましく、これにより第４レンズＬ４の材質のｄ線に対する屈折率を低くすることができ、第４レンズＬ４のコストを抑えることが容易となるとともに、第４レンズＬ４のアッベ数を大きくすることが容易となり、軸上の色収差、倍率の色収差の補正が容易となる。Ｎｄ４は１．５８より小さいことがさらに好ましく、１．５５より小さいことがさらにより好ましい。上記より、例えば下記条件式の少なくとも１つを満足することがより好ましい。
Ｎｄ４＜１．６    （２３）
Ｎｄ４＜１．５５    （２３−１）
１．４５＜Ｎｄ４＜１．６    （２３−２）
１．４８＜Ｎｄ４＜１．５８    （２３−３）
１．５０＜Ｎｄ４＜１．５８    （２３−４）
【００８０】
第５レンズＬ５の材質のｄ線に対する屈折率をＮｄ５としたとき、Ｎｄ５は１．４５より大きいことが好ましく、これにより第５レンズＬ５のパワーを強くすることが容易となり、像面湾曲の補正が容易となるか、周辺光線が撮像素子へ入射する角度が大きくなるのを抑えることが容易となりシェーディングを抑えることが容易となる。Ｎｄ５は１．４８より大きいことがさらに好ましく、１．５０より大きいことがさらにより好ましい。また、Ｎｄ５は１．６０より小さいことが好ましく、これにより第５レンズＬ５の材質のｄ線に対する屈折率を低くすることができ、第５レンズＬ５のコストを抑えることが容易となるとともに、第５レンズＬ５のアッベ数を大きくすることが容易となり、軸上の色収差、倍率の色収差の補正が容易となる。Ｎｄ５は１．５８より小さいことがさらに好ましく、１．５５より小さいことがさらにより好ましい。上記より、例えば下記条件式の少なくとも１つを満足することがより好ましい。
Ｎｄ５＜１．６    （２４）
Ｎｄ５＜１．５５    （２４−１）
１．４５＜Ｎｄ５＜１．６    （２４−２）
１．４８＜Ｎｄ５＜１．５８    （２４−３）
１．５０＜Ｎｄ５＜１．５８    （２４−４）
【００８１】
第６レンズＬ６の材質のｄ線に対する屈折率をＮｄ６としたとき、Ｎｄ６は１．５０より大きいことが好ましく、これにより第６レンズＬ６のパワーを強くすることが容易となり、倍率の色収差の補正が容易となる。Ｎｄ６は１．５５より大きいことがさらに好ましく、１．５８より大きいことがさらにより好ましい。また、Ｎｄ６は１．８９より小さいことが好ましく、これにより第６レンズＬ６の材質のｄ線に対する屈折率を比較的低くすることができ、第６レンズＬ６のコストを抑えることが容易となる。Ｎｄ６は１．８６より小さいことがさらに好ましく、１．７０より小さいことがさらにより好ましく、１．６８より小さいことがさらによりいっそう好ましく、１．６５より小さいことが特に好ましい。上記より、例えば下記条件式の少なくとも１つを満足することがより好ましい。
Ｎｄ６＜１．８９    （２５）
Ｎｄ６＜１．８６    （２５−１）
１．５０＜Ｎｄ６＜１．７０    （２５−２）
１．５５＜Ｎｄ６＜１．６８    （２５−３）
１．５８＜Ｎｄ６＜１．６５    （２５−４）
【００８２】
第１レンズＬ１の物体側の面は凸面であることが好ましい。第１レンズＬ１は負レンズのため、物体側の面が凸面の場合、第１レンズＬ１はメニスカスレンズとなる。第１レンズＬ１を物体側に凸面を向けたメニスカスレンズとすることで、ディストーションの補正が容易となる。
【００８３】
第１レンズＬ１の像側の面は凹面であることが好ましい。これにより広角化が容易となる。
【００８４】
第２レンズＬ２の物体側の面は凸面であることが好ましい。これにより第２レンズＬ２のパワーを強くすることが容易となり、非点収差の補正が容易となる。
【００８５】
第２レンズＬ２の像側の面は凸面であることが好ましい。これにより第２レンズＬ２のパワーを強くすることが容易となり、非点収差の補正が容易となる。
【００８６】
第２レンズＬ２は両凸レンズであることが好ましい。これにより第２レンズＬ２のパワーを強くすることが容易となり、非点収差の補正が容易となる。
【００８７】
第２レンズＬ２は、物体側の面の曲率半径の絶対値が、像側の面の曲率半径の絶対値より大きいレンズとすることが好ましい。これによりディストーションの補正が容易となる。
【００８８】
第３レンズＬ３の物体側の面は凹面であることが好ましい。これにより第３レンズＬ３のパワーを強くすることが容易となり、軸上の色収差の補正が容易となる。
【００８９】
第３レンズＬ３の像側の面は凹面であることが好ましい。これにより第３レンズＬ３のパワーを強くすることが容易となり、軸上の色収差の補正が容易となる。
【００９０】
第３レンズＬ３は両凹レンズであることが好ましい。これにより第３レンズＬ３のパワーを強くすることが容易となり、軸上の色収差の補正が容易となる。
【００９１】
第３レンズＬ３は、物体側の面の曲率半径の絶対値が、像側の面の曲率半径の絶対値より小さいレンズとしてもよく、これにより非点収差の補正が容易となる。
【００９２】
第３レンズＬ３は、物体側の面の曲率半径の絶対値が、像側の面の曲率半径の絶対値より大きいレンズとしてもよく、これにより第３レンズＬ３と第４レンズＬ４とを協働させて軸上の色収差を補正することが容易となる。
【００９３】
第４レンズＬ４の物体側の面は凸面であることが好ましい。これにより第４レンズＬ４のパワーを強くすることが容易となり、第３レンズＬ３と第４レンズＬ４とを協働させて軸上の色収差を補正することが容易となる。
【００９４】
第４レンズＬ４の像側の面は凸面であることが好ましい。これにより非点収差の補正が容易となる。
【００９５】
第４レンズＬ４は両凸レンズであることが好ましい。これにより第４レンズＬ４のパワーを強くすることが容易となり、第３レンズＬ３と第４レンズＬ４とを協働させて軸上の色収差を補正することが容易となる。
【００９６】
第５レンズＬ５の物体側の面は凸面であることが好ましい。これにより第５レンズＬ５のパワーを強くすることが容易となり、周辺光線が撮像素子へ入射する角度が大きくなるのを抑えることが容易となり、シェーディングを抑えることが容易となる。
【００９７】
第５レンズＬ５の像側の面は凸面または平面であってもよい。第５レンズＬ５の像側の面を凸面または平面とすることで、凹面にした場合よりも周辺光線が撮像素子へ入射する角度が大きくなるのを抑えることが容易となり、シェーディングを抑えることが容易となる。
【００９８】
第５レンズＬ５の像側の面は凹面であってもよい。第５レンズＬ５の像側の面を凹面とすることで、像面湾曲の補正が容易となる。
【００９９】
第５レンズＬ５は両凸レンズもしくは物体側に凸面を向けた平凸レンズであってもよい。第５レンズＬ５を両凸レンズもしくは物体側に凸面を向けた平凸レンズとすることで、第５レンズＬ５のパワーを強くすることが容易となり、周辺光線が撮像素子へ入射する角度が大きくなるのを抑えることが容易となり、シェーディングを抑えることが容易となる。
【０１００】
第５レンズＬ５は物体側に凸面を向けたメニスカスレンズであってもよい。第５レンズＬ５を物体側に凸面を向けたメニスカスレンズとすることで、像面湾曲の補正が容易となる。
【０１０１】
第６レンズＬ６の物体側の面は凹面であることが好ましい。これにより第６レンズＬ６のパワーを強くすることが容易となり、倍率の色収差の補正が容易となる。
【０１０２】
第６レンズＬ６の像側の面は凸面もしくは平面であってもよい。第６レンズＬ６の像側の面を凸面もしくは平面とすることで、周辺光線が撮像素子へ入射する角度が大きくなるのを抑えることが容易となる。
【０１０３】
第６レンズＬ６の像側の面は凹面であってもよい。第６レンズＬ６の像側の面を凹面とすることで、像面湾曲とディストーションの補正が容易となる。
【０１０４】
第６レンズＬ６は物体側に凹面を向けた負メニスカスレンズもしくは平凹レンズであってもよい。第６レンズＬ６を物体側に凹面を向けた負メニスカスレンズもしくは平凹レンズとすることで、周辺光線が撮像素子へ入射する角度が大きくなるのを抑えることが容易となる。
【０１０５】
第６レンズＬ６は両凹レンズであってもよい。第６レンズＬ６を両凹レンズとすることで、倍率の色収差の補正が容易となると共に、像面湾曲の補正が容易となる。
【０１０６】
第６レンズＬ６の物体側の面の曲率半径の絶対値は像側の面の曲率半径の絶対値より小さいことが好ましい。これにより周辺光線が撮像素子へ入射する角度が大きくなるのを抑えることが容易となる。
【０１０７】
第１レンズＬ１〜第６レンズＬ６の各レンズのいずれかの面を非球面としてもよい。これにより諸収差を良好に補正することが容易となる。
【０１０８】
第３レンズＬ３の物体側の面は非球面とすることが好ましい。第３レンズＬ３の物体側の面は、光軸近傍で負のパワーを持ち、有効径端では、光軸近傍と比較して負のパワーが強い形状としてもよい。第３レンズＬ３の物体側の面をこのような形状とすることで、球面収差を良好に補正することが容易となる。
【０１０９】
第３レンズＬ３の物体側の面は、光軸近傍で正のパワーを持ち、有効径端では、負のパワーを持つ非球面形状としてもよい。第３レンズＬ３の物体側の面をこのような形状とすることで、球面収差を良好に補正することが容易となる。
【０１１０】
第３レンズＬ３の像側の面は非球面とすることが好ましい。第３レンズＬ３の像側の面は、光軸近傍で負のパワーを持ち、有効径端では、光軸近傍と比較して負のパワーが弱い形状であることが好ましい。第３レンズＬ３の像側の面をこのような形状とすることで、レンズ系の小型化が容易となるか、非点収差、コマ収差を良好に補正することが容易となる。
【０１１１】
第４レンズＬ４の物体側の面は非球面とすることが好ましい。第４レンズＬ４の物体側の面は、光軸近傍で正のパワーを持ち、有効径端では、光軸近傍と比較して正のパワーが弱い形状であることが好ましい。第４レンズＬ４の物体側の面をこのような形状とすることで、球面収差を良好に補正することが容易となる。
【０１１２】
第４レンズＬ４の像側の面は非球面とすることが好ましい。第４レンズＬ４の像側の面は、光軸近傍で正のパワーを持ち、有効径端では、光軸近傍と比較して正のパワーが強い形状であることが好ましい。第４レンズＬ４の物体側の面をこのような形状とすることで、非点収差を良好に補正することが容易となる。
【０１１３】
第５レンズＬ５の物体側の面は非球面とすることが好ましい。第５レンズＬ５の物体側の面は、光軸近傍で正のパワーを持ち、有効径端では、光軸近傍と比較して正のパワーが弱い形状であることが好ましい。第５レンズＬ５の物体側の面をこのような形状とすることで、球面収差、非点収差を良好に補正することが容易となる。
【０１１４】
第５レンズＬ５の像側の面は非球面とすることが好ましい。第５レンズＬ５の像側の面は、光軸近傍で正のパワーを持ち、有効径端では、光軸近傍と比較して正のパワーが弱い形状であることが好ましい。第５レンズＬ５の像側の面をこのような形状とすることで、球面収差、非点収差を良好に補正することが容易となる。
【０１１５】
第６レンズＬ６の物体側の面は非球面とすることが好ましい。第６レンズＬ６の物体側の面は、光軸近傍で負のパワーを持ち、有効径端では、光軸近傍と比較して負のパワーが強い形状であることが好ましい。第６レンズＬ６の物体側の面をこのような形状とすることで、球面収差、非点収差を良好に補正することが容易となる。
【０１１６】
第６レンズＬ６の像側の面は非球面とすることが好ましい。第６レンズＬ６の像側の面は、光軸近傍で正のパワーを持ち、有効径端では、光軸近傍と比較して正のパワーが弱い形状としてもよい。第６レンズＬ６の像側の面をこのような形状とすることで、球面収差、非点収差を良好に補正することが容易となる。または、第６レンズＬ６の像側の面は、光軸近傍で負のパワーを持ち、有効径端では、光軸近傍と比較して負のパワーが強い形状としてもよい。第６レンズＬ６の像側の面をこのような形状とすることで、球面収差、非点収差を良好に補正することが容易となる。
【０１１７】
なお、「面の有効径」とは、結像に寄与する全光線とレンズ面との交わる点を考えたとき、径方向における最も外側の点（最も光軸から離れた点）からなる円の直径を意味し、「有効径端」とは、この最も外側の点を意味するものとする。有効径は、例えばレンズ系が撮像素子と組み合わせて使用される場合は、撮像素子の撮像面のサイズに基づき決めることができる。撮像面が矩形でその２つの対角線の交点を光軸を通る系の場合は例えば、この対角線の１／２を最大像高として考えて有効径を決めることができる。
【０１１８】
また、光軸上以外の面のある点におけるパワーは、その点を通過し面に対する法線を考え、その法線と光軸が交わる点（以下、法線と光軸の交点という）が、面と光軸が交わる点（以下、面と光軸の交点という）と比較して物体側、像側、どちらにあるかで定義する。レンズ面が物体側の面においては、法線と光軸の交点が面と光軸の交点より像側の場合、その点におけるパワーは正となり、法線と光軸の交点が面と光軸の交点より物体側の場合、その点におけるパワーは負となる。レンズ面が像側の面においては、法線と光軸の交点が面と光軸の交点より物体側の場合、その点におけるパワーは正となり、法線と光軸の交点が面と光軸の交点より像側の場合、その点におけるパワーは負となる。
【０１１９】
図１に示す例は、全てのレンズが単レンズであり、このようにレンズ系を構成するレンズは全て接合されていないものとしてもよい。例えば車載レンズとして使用される場合、レンズ系には高い耐熱性、耐環境性が求められる。接合レンズを使用した場合、条件によっては耐熱性、耐環境性を高めるために特殊な接合剤を使用することとなり、耐環境性を高める処理が必要となるため高コストになってしまうことがある。このような場合は、第１レンズＬ１〜第６レンズＬ６は全て単レンズとしてもよい。
【０１２０】
しかし、上記接合剤の点が問題とならない場合などでは、レンズ同士を接合することで、レンズ間の軸ズレを小さくすることが可能となり、良好な性能の確保に貢献できるため、レンズ系が接合レンズを含むように構成してもよい。例えば、第３レンズＬ３と第４レンズＬ４を接合してもよく、第５レンズＬ５と第６レンズＬ６を接合してもよく、またこれら２組の接合レンズを同時に有する構成としてもよい。
【０１２１】
本発明の撮像レンズ１においては、レンズ系のＦ値（Ｆナンバー）を決める絞りである開口絞りＳｔが第４レンズＬ４の像側の面より物体側に配置されていることが好ましい。これにより第１レンズＬ１の開口径を小さくすることが容易となり、レンズ系の小型化が容易となる。例えば撮像レンズ１が車載用カメラに使用される場合、車の外観を損なわないため、レンズのうち外部に露出する部分は小さいことが求められる。さらに、開口絞りＳｔを第４レンズＬ４の像側の面より物体側に配置することで、周辺光線が撮像素子に入射する角度が大きくなるのを抑えることが容易となり、シェーディングを抑えることが容易となる。
【０１２２】
開口絞りＳｔは第３レンズＬ３の像側の面より物体側に配置されていることがさらに好ましい。これにより第１レンズＬ１の開口径をさらに小さくすることが容易となる。また、開口絞りＳｔは第２レンズＬ２の物体側の面より像側に配置されていることが好ましい。これにより第５レンズＬ５のレンズ径を小さくすることが容易となる。特に、開口絞りＳｔは第３レンズＬ３の物体側の面と第２レンズＬ２の物体側の面の間に配置されていることが好ましい。これにより第１レンズＬ１から第５レンズＬ５までのレンズの径のバランスをとることが容易となり、レンズ全体の径を小型化することが容易となる。
【０１２３】
第１レンズＬ１を構成する材質はガラスであることが好ましい。例えば撮像レンズ１が車載用カメラや監視カメラ用等の厳しい環境において使用される場合には、最も物体側に配置される第１レンズＬ１は、風雨による表面劣化、直射日光による温度変化に強く、さらには油脂・洗剤等の化学薬品に強い材質、すなわち耐水性、耐候性、耐酸性、耐薬品性等が高い材質を用いることが要望され、また、堅く、割れにくい材質を用いることが要望されることがある。第１レンズＬ１の材質をガラスとすることで、これらの要望を満たすことが可能となる。また、第１レンズＬ１の材質として、透明なセラミックスを用いてもよい。
【０１２４】
耐環境性のよい光学系を作製するためには、全てのレンズの材質がガラスであることが好ましい。例えば撮像レンズ１が監視用カメラや車載用カメラに用いられる場合、寒冷地の外気から熱帯地域の夏の車内までなどの高温から低温までの広い温度範囲や高湿などの様々な条件で用いられる可能性がある。それらに強い光学系を作製するためには、全てのレンズの材質がガラスであることが好ましい。
【０１２５】
第２レンズＬ２の材質はガラスとすることが好ましい。第２レンズＬ２をガラスレンズとすることで、第２レンズＬ２の材質の屈折率を高くすることが容易となり、像面湾曲の補正が容易となる。
【０１２６】
なお、第１レンズＬ１〜第６レンズＬ６の各レンズのいずれかの材質にプラスチックを使用してもよい。特に、第３レンズＬ３〜第６レンズＬ６のうちのいずれか１つ、または任意の組合せのレンズの材質にプラスチックを使用することが好ましい。これによりプラスチック材質からなるレンズを非球面レンズとした場合は、この非球面レンズを安価で、高精度に作製することが可能となるため、レンズのコストを抑えながら諸収差を良好に補正することが容易となる。
【０１２７】
プラスチックの材質としては、例えば、アクリル、ポリオレフィン系の材質、ポリカーボネイト系の材質、エポキシ樹脂、ＰＥＴ（Ｐｏｌｙｅｔｈｙｌｅｎｅ  ｔｅｒｅｐｈｔｈａｌａｔｅ）、ＰＥＳ（Ｐｏｌｙ  Ｅｔｈｅｒ  Ｓｕｌｐｈｏｎｅ）、ポリエステル系の材質等を用いることができる。また、プラスチックに光の波長より小さな粒子を混合させたいわゆるナノコンポジット材料を用いてもよい。
【０１２８】
なお、撮像レンズ１の用途に応じて、レンズ系と撮像素子５との間、または各レンズの間にＵＶフィルタやＩＲフィルタ等の特定の波長域を透過あるいは反射させるフィルタを挿入してもよい。あるいは、上記フィルタと同様の特性を持つコートをいずれかのレンズのレンズ面に施してもよい。またはいずれかのレンズの材質として紫外光や青色光、赤外光などを吸収する材質を用いてもよい。
【０１２９】
なお、各レンズ間の有効径外を通過する光束は、迷光となって像面に達し、ゴーストとなるおそれがあるため、必要に応じて、この迷光を遮光する遮光部材を設けることが好ましい。この遮光部材としては、例えばレンズの有効径外の部分に施された不透明な塗料や、不透明な板材であってもよい。遮光部材は必要に応じてどのレンズの間に配置してもよい。あるいは、第１レンズＬ１より物体側に迷光を遮光するフードのようなものを配置してもよい。一例として、図１では、第１レンズＬ１、第３レンズＬ３それぞれの像側の面の有効径外に遮光部材１１、１２を設けた例を示している。なお、遮光部材を設ける箇所は図１に示す例に限定されず、他のレンズや、レンズ間に配置してもよい。
【０１３０】
さらに、各レンズの間に周辺光量比が実用上問題の無い範囲で周辺光線を遮光する絞り等の部材を配置してもよい。このような部材により、結像領域周辺部の画質を向上させることができる。
【０１３１】
上述した好ましい構成は、任意の組合せが可能であり、撮像レンズ１に要求される仕様に応じて適宜選択的に採用されることが好ましい。好ましい構成を適宜選択することで、より良好な光学性能やより高い仕様に対応可能な光学系を実現することができる。
【０１３２】
［条件式の組み合わせ例と、その作用・効果］
ここで、本実施の形態において、上述した条件式を考慮した４つの好ましい構成例と、その効果を説明する。
【０１３３】
第１の構成例は、物体側から順に、負の屈折力を有する第１レンズＬ１と、正の屈折力を有する第２レンズＬ２と、負の屈折力を有する第３レンズＬ３と、正の屈折力を有する第４レンズＬ４と、正の屈折力を有する第５レンズＬ５と、負の屈折力を有する第６レンズＬ６とから構成される実質的に６枚のレンズからなり、下記条件式（１）、（２）、（３−３）を満足するものである。
１．０＜（Ｄｂ１２＋Ｄ３）／ｆ    （１）
ｆ２／ｆ＜１．６８    （２）
１．１＜（Ｒ１ｆ＋Ｒ１ｒ）／（Ｒ１ｆ−Ｒ１ｒ）＜２．２    （３−３）
【０１３４】
この第１の構成例によれば、６枚という比較的少ないレンズ枚数でレンズ系を小型に構成しつつ、広角化に有利となり、非点収差とディストーションの良好な補正に優れ、画像中心部から周辺部にかけて高解像の画像を取得することが可能となる。
【０１３５】
第２の構成例は、物体側から順に、負の屈折力を有する第１レンズＬ１と、正の屈折力を有する第２レンズＬ２と、負の屈折力を有する第３レンズＬ３と、正の屈折力を有する第４レンズＬ４と、正の屈折力を有する第５レンズＬ５と、負の屈折力を有する第６レンズＬ６とから構成される実質的に６枚のレンズからなり、下記条件式（３−４）、（４）、（５）、（６）を満足するものである。
１．１＜（Ｒ１ｆ＋Ｒ１ｒ）／（Ｒ１ｆ−Ｒ１ｒ）＜２．０    （３−４）
１．６＜ｆ３４５６／ｆ    （４）
０．０＜ｆ４／ｆ＜２．４５    （５）
νｄ６＜３０    （６）
【０１３６】
この第２の構成例によれば、６枚という比較的少ないレンズ枚数でレンズ系を小型に構成しつつ、広角化に有利となり、長いバックフォーカスを確保しながら、色収差と球面収差を良好に補正することができる。
【０１３７】
第３の構成例は、物体側から順に、負の屈折力を有する第１レンズＬ１と、正の屈折力を有する第２レンズＬ２と、負の屈折力を有する第３レンズＬ３と、正の屈折力を有する第４レンズＬ４と、正の屈折力を有する第５レンズＬ５と、負の屈折力を有する第６レンズＬ６とから構成される実質的に６枚のレンズからなり、下記条件式（６）〜（９）を満足するものである。
０．３８＜Ｄｂ１２／ｆ    （７）
ｆ１２／ｆ＜２．５    （８）
ｆ５／ｆ＜５．０    （９）
νｄ６＜３０    （６）
【０１３８】
この第３の構成例によれば、６枚という比較的少ないレンズ枚数でレンズ系を小型に構成しつつ、非点収差、ディストーション、倍率の色収差の良好な補正に優れ、画像中心部から周辺部にかけて高解像の画像を取得することが可能となる。
【０１３９】
第４の構成例は、物体側から順に、負の屈折力を有する第１レンズＬ１と、正の屈折力を有する第２レンズＬ２と、負の屈折力を有する第３レンズＬ３と、正の屈折力を有する第４レンズＬ４と、正の屈折力を有する第５レンズＬ５と、負の屈折力を有する第６レンズＬ６とから構成される実質的に６枚のレンズからなり、下記条件式（１０）〜（１２）を満足するものである。
−０．１５＜（Ｒ２ｆ＋Ｒ２ｒ）／（Ｒ２ｆ−Ｒ２ｒ）    （１０）
−２．５＜（Ｒ５ｆ＋Ｒ５ｒ）／（Ｒ５ｆ−Ｒ５ｒ）＜−０．２５    （１１）
−４．０＜（Ｒ６ｆ＋Ｒ６ｒ）／（Ｒ６ｆ−Ｒ６ｒ）    （１２）
【０１４０】
この第４の構成例によれば、６枚という比較的少ないレンズ枚数でレンズ系を小型に構成しつつ、球面収差、非点収差、倍率の色収差の良好な補正に優れ、画像中心部から周辺部にかけて高解像の画像を取得することが可能となる。
【０１４１】
〔撮像レンズの数値実施例〕
次に、本発明の撮像レンズの数値実施例について説明する。実施例１〜実施例２２の撮像レンズのレンズ断面図をそれぞれ図２〜図２３に示す。図２〜図２３において、図の左側が物体側、右側が像側であり、開口絞りＳｔ、光学部材ＰＰも合せて図示している。各図の開口絞りＳｔは形状や大きさを表すものではなく、光軸Ｚ上の位置を示すものである。各実施例において、レンズ断面図の符号Ｒｉ、Ｄｉ（ｉ＝１、２、３、…）は以下に説明するレンズデータのＲｉ、Ｄｉと対応している。
【０１４２】
表１〜表２２にそれぞれ実施例１〜実施例２２の撮像レンズのレンズデータを示す。各表の上段左には基本レンズデータを、上段右には各種データを、下段には非球面データを示している。
【０１４３】
基本レンズデータにおいて、Ｓｉの欄は最も物体側の構成要素の物体側の面を１番目として像側に向かうに従い順次増加するｉ番目（ｉ＝１、２、３、…）の面番号を示し、Ｒｉの欄はｉ番目の面の曲率半径を示し、Ｄｉの欄はｉ番目の面とｉ＋１番目の面との光軸Ｚ上の面間隔を示している。なお、曲率半径の符号は、面形状が物体側に凸の場合を正、像側に凸の場合を負としている。また、Ｎｄｊの欄は最も物体側の光学要素を１番目として像側に向かうに従い順次増加するｊ番目（ｊ＝１、２、３、…）の光学要素のｄ線（波長５８７．６ｎｍ）に対する屈折率を示し、νｄｊの欄はｊ番目の光学要素のｄ線に対するアッベ数を示している。なお、基本レンズデータには、開口絞りＳｔおよび光学部材ＰＰも含めて示している。開口絞りＳｔ、像面Ｓｉｍに相当する面の面番号の欄にはそれぞれ（Ｓｔ）、（ＩＭＧ）という語句を面番号とともに併せて記載している。
【０１４４】
基本レンズデータでは、非球面の面番号に＊印を付しており、非球面の曲率半径として近軸曲率半径の数値を示している。非球面係数の表には、非球面の面番号と、各非球面に関する非球面係数を示す。非球面係数の数値の「Ｅ−ｎ」（ｎ：整数）は「×１０−ｎ」を意味する。なお、非球面係数は、以下の式で表される非球面式における各係数Ｋ、ＲＢｍ（ｍ＝３、４、５、…１０）の値である。
【数１】
2015125149.tif 000003
ただし、
Ｚｄ：非球面深さ（高さＹの非球面上の点から、非球面頂点が接する光軸に垂直な平面に
下ろした垂線の長さ）
Ｙ：高さ（光軸からのレンズ面までの距離）
Ｃ：近軸曲率
Ｋ、ＲＢｍ：非球面係数（ｍ＝３、４、５、…１０）
【０１４５】
各種データにおいて、Ｌ（ｉｎ  Ａｉｒ）は第１レンズＬ１の物体側の面から像面Ｓｉｍまでの光軸Ｚ上の距離（バックフォーカス分は空気換算長）、Ｂｆ（ｉｎ  Ａｉｒ）は最も像側のレンズの像側の面から像面Ｓｉｍまでの光軸Ｚ上の距離（空気換算長でのバックフォーカスに相当）、ｆは全系の焦点距離、ｆ１は第１レンズＬ１の焦点距離、ｆ２は第２レンズＬ２の焦点距離、ｆ３は第３レンズＬ３の焦点距離、ｆ４は第４レンズＬ４の焦点距離、ｆ５は第５レンズＬ５の焦点距離、ｆ６は第６レンズＬ６の焦点距離、ｆ１２は第１レンズＬ１と第２レンズＬ２との合成焦点距離、ｆ５６は第５レンズＬ５と第６レンズＬ６との合成焦点距離、ｆ３４５６は第３レンズＬ３から第６レンズＬ６までの合成焦点距離である。
【０１４６】
なお、本明細書の表には、所定の桁でまるめた数値を記載している。ここでは各数値の長さの単位としては「ｍｍ」を用いているが、これは一例であり、光学系は比例拡大または比例縮小しても使用可能なため、他の適当な単位を用いることもできる。
【０１４７】
【表１】
2015125149.tif 000004
【０１４８】
【表２】
2015125149.tif 000005
【０１４９】
【表３】
2015125149.tif 000006
【０１５０】
【表４】
2015125149.tif 000007
【０１５１】
【表５】
2015125149.tif 000008
【０１５２】
【表６】
2015125149.tif 000009
【０１５３】
【表７】
2015125149.tif 000010
【０１５４】
【表８】
2015125149.tif 000011
【０１５５】
【表９】
2015125149.tif 000012
【０１５６】
【表１０】
2015125149.tif 000013
【０１５７】
【表１１】
2015125149.tif 000014
【０１５８】
【表１２】
2015125149.tif 000015
【０１５９】
【表１３】
2015125149.tif 000016
【０１６０】
【表１４】
2015125149.tif 000017
【０１６１】
【表１５】
2015125149.tif 000018
【０１６２】
【表１６】
2015125149.tif 000019
【０１６３】
【表１７】
2015125149.tif 000020
【０１６４】
【表１８】
2015125149.tif 000021
【０１６５】
【表１９】
2015125149.tif 000022
【０１６６】
【表２０】
2015125149.tif 000023
【０１６７】
【表２１】
2015125149.tif 000024
【０１６８】
【表２２】
2015125149.tif 000025
【０１６９】
上記実施例１〜３、１０、２１、２２の撮像レンズにおいて、第１レンズＬ１、第２レンズＬ２、第６レンズＬ６はガラス球面レンズであり、第３レンズＬ３〜第５レンズＬ５はプラスチックレンズである。上記実施例４〜９、１１〜２０の撮像レンズにおいて、第１レンズＬ１および第２レンズＬ２はガラス球面レンズであり、第３レンズＬ３〜第６レンズＬ６はプラスチックレンズである。基本レンズデータには、ガラスレンズのものはガラスの欄に硝種名を記載しているが、屈折率およびアッベ数等について同等の特性を持つものであれば他の硝種を用いてもよい。
【０１７０】
例えば基本レンズデータのガラスの欄にＳ−ＹＧＨ５１と記載しているものはオハラ社製Ｓ−ＹＧＨ５１であるが、同等の特性をもつ他社の硝材を用いても良く、例えばこれに代えて、ＨＯＹＡ社製ＴＡＣ６、住田社製Ｋ−ＬＡＳＫＮ１、成都光明社製Ｈ−ＬＡＫ５３Ａ等を使用してもよい。同様に、オハラ社製Ｓ−ＬＡＨ６６に代えて、ＨＯＹＡ社製ＴＡＦ１、Ｍ−ＴＡＦ１、住田社製Ｋ−ＬＡＦＫ５０、Ｋ−ＬＡＳＦＮ７、成都光明社製Ｈ−ＺＬＡＦ５０Ｂ、ショット社製Ｎ−ＬＡＦ３４等を使用してもよい。オハラ社製Ｓ−ＬＡＨ５５Ｖに代えて、ＨＯＹＡ社製ＴＡＦＤ５Ｆ、住田社製Ｋ−ＬＡＳＦＮ８、成都光明社製Ｈ−ＺＬＡＦ５５Ａ等を使用してもよい。オハラ社製Ｓ−ＢＡＬ３５に代えて、ＨＯＹＡ社製ＢＡＣＤ５、住田社製Ｋ−ＳＫ５、成都光明社製Ｈ−ＺＫ３等を使用してもよい。オハラ社製Ｓ−ＬＡＨ６５Ｖに代えて、ＨＯＹＡ社製ＴＡＦ３、住田社製Ｋ−ＬＡＳＦＮ６、成都光明社製Ｈ−ＺＬＡＦ５０Ｄ等を使用してもよい。ＨＯＹＡ社製ＢＳＣ７に代えて、オハラ社製Ｓ−ＢＳＬ７、住田社製Ｋ−ＢＫ７、成都光明社製Ｈ−Ｋ９Ｌ、ショット社製Ｎ−ＢＫ７等を使用してもよい。オハラ社製Ｓ−ＬＡＬ８に代えて、ＨＯＹＡ社製ＬＡＣ８、住田社製Ｋ−ＬＡＫ８、成都光明社製Ｈ−ＬＡＫ７Ａ等を使用してもよい。ＨＯＹＡ社製Ｍ−ＴＡＦＤ５１に代えて、光ガラス社製Ｑ−ＬＡＳＦＨ５９Ｓ等を使用してもよい。オハラ社製Ｓ−ＬＡＨ５８に代えて、ＨＯＹＡ社製ＴＡＦＤ３０、住田社製Ｋ−ＬＡＳＦＮ１７、成都光明社製Ｈ−ＺＬＡＦ６８等を使用してもよい。
【０１７１】
実施例１〜２２の撮像レンズについて、条件式（１）〜（１１）に対応する値を表２３に示し、条件式（１２）〜（２１）に対応する値を表２４に示す。実施例１〜２２では、ｄ線を基準波長としており、表２３、表２４にはこの基準波長における各値を示す。
【０１７２】
【表２３】
2015125149.tif 000026
【０１７３】
【表２４】
2015125149.tif 000027
【０１７４】
上記実施例１〜２２にかかる撮像レンズの各収差図をそれぞれ図２４〜図４５に示す。図２４〜図４５では、各実施例について、左から順に、球面収差、非点収差、ディストーション（歪曲収差）、倍率色収差（倍率の色収差）の収差図を示している。球面収差図のＦｎｏ．はＦナンバーを意味し、その他の収差図のωは無限遠物体に合焦した状態における半画角を意味する。各収差図には、ｄ線（５８７．５６ｎｍ）を基準波長とした収差を示すが、球面収差図には、Ｆ線（波長４８６．１３ｎｍ）、Ｃ線（波長６５６．２７ｎｍ）、ｓ線（波長８５２．１１ｎｍ）、正弦条件違反量についての収差も示し、倍率色収差図にはＦ線、Ｃ線、ｓ線についての収差を示す。
【０１７５】
以上のデータからわかるように、実施例１〜２２の撮像レンズは、小型で安価に作製可能である上、Ｆナンバーが１．６０〜２．００の範囲にあり小さなＦナンバーを有し、最大全画角が６５°〜８０°の範囲にあり広い画角を達成しており、色収差を含めた諸収差が良好に補正されて高い光学性能を有する。これらの撮像レンズは、監視カメラや、自動車の前方、側方、後方などの映像を撮影するための車載用カメラ等に好適に使用可能である。
【０１７６】
〔撮像装置の実施形態〕
図４６に使用例として、自動車１００に本実施形態の撮像レンズを備えた撮像装置を搭載した様子を示す。図４６において、自動車１００は、その助手席側の側面の死角範囲を撮像するための車外カメラ１０１と、自動車１００の後側の死角範囲を撮像するための車外カメラ１０２と、ルームミラーの背面に取り付けられ、ドライバーと同じ視野範囲を撮影するための車内カメラ１０３とを備えている。車外カメラ１０１と車外カメラ１０２と車内カメラ１０３とは、本発明の実施形態にかかる撮像装置であり、本発明の実施形態にかかる撮像レンズと、該撮像レンズにより形成される光学像を電気信号に変換する撮像素子とを備えている。
【０１７７】
本発明の実施形態にかかる撮像レンズは、上述した長所を有するものであるから、車外カメラ１０１、１０２および車内カメラ１０３は、車の外観を損ねることはなく、小型で安価に構成でき、広い画角を有し、良好な映像を得ることができる。
【０１７８】
なお、本発明の実施形態に係る撮像レンズを備えた撮像装置で撮影した画像を携帯電話に表示するようにしてもよい。例えば本実施形態の撮像レンズを備えた撮影装置を車載用カメラとして自動車に搭載し、自動車の背後や周辺を車載用カメラにより撮影し、撮影により取得した画像を表示装置に表示する場合がある。このような場合、カーナビゲーションシステム（以下カーナビとする）が搭載されている自動車においては、撮影した画像はカーナビの表示装置に表示すればよいが、カーナビが搭載されていない場合、液晶ディスプレイ等の専用の表示装置を自動車に設置する必要がある。しかしながら、表示装置は高価である。一方、近年の携帯電話は、動画やＷｅｂの閲覧が可能になる等、高性能な表示装置が搭載されている。携帯電話を車載用カメラの表示装置として用いることで、カーナビが搭載されていない自動車に関しても、専用の表示装置を搭載する必要が無くなり、その結果、安価に車載用カメラを搭載することが可能となる。
【０１７９】
ここで、車載用カメラが撮影した画像は、ケーブル等を用いて有線にて携帯電話に送信してもよく、赤外線通信等の無線により携帯電話に送信してもよい。また、携帯電話等と自動車の作動状態とを連動させ、自動車のギアがバックに入ったり、ウインカー等を出したりした際に、自動で携帯電話の表示装置に車載用カメラの画像を表示するようにしてもよい。
【０１８０】
なお、車載用カメラの画像を表示する表示装置としては、携帯電話のみならず、ＰＤＡ等の携帯情報端末でもよく、タブレット型端末でもよく、小型のパソコンでもよく、あるいは持ち歩き可能な小型のカーナビでもよい。
【０１８１】
また、本発明の撮像レンズを搭載した携帯電話（スマートホンを含む）を自動車に固定することで、車載用カメラとして使用してもよい。近年のスマートホンはＰＣ並の処理能力を備えているため、例えば携帯電話を自動車のダッシュボード等に固定し、カメラを前方に向けることで、携帯電話のカメラを車載用カメラと同様に用いることが可能となる。なお、スマートホンのアプリケーションとして、白線や道路標識を認識し、警告を行う機能を備えていてもよい。また、運転手にカメラを向け、居眠りや脇見の際に警告を行うシステムとしてもよい。また、自動車と連動し、ハンドルを操作するシステムの一部としてもよい。自動車は高温環境や低温環境に放置されるため、車載用カメラは厳しい耐環境性が要求される。本発明の撮像レンズを携帯電話に搭載した場合、運転時以外は携帯電話は運転手とともに車外に出てしまうため、撮像レンズの耐環境性をゆるめることが可能となり、安価に車載システムを導入することが可能となる。
【０１８２】
以上、実施形態および実施例を挙げて本発明を説明したが、本発明は上記実施形態および実施例に限定されず、種々の変形が可能である。例えば、各レンズの曲率半径、面間隔、屈折率、アッベ数、非球面係数の値は、上記各数値実施例で示した値に限定されず、他の値をとり得るものである。
【０１８３】
なお、上記実施例では全てのレンズを均質な材料により構成しているが、屈折率分布型のレンズを用いてもよい。また、上記した実施例では、非球面が施された屈折型レンズにより構成しているものがあるが、１つの面もしくは複数の面に回折光学素子を形成してもよい。
【０１８４】
また、撮像装置の実施形態では、本発明を車載用カメラに適用した例について図を示して説明したが、本発明はこの用途に限定されるものではなく、例えば、携帯端末用カメラや監視カメラ等にも適用可能である。
【符号の説明】
【０１８５】
１    撮像レンズ
２    軸上光束
３、４    軸外光束
５    撮像素子
１１、１２    遮光部材
１００    自動車
１０１、１０２    車外カメラ
１０３    車内カメラ
Ｌ１    第１レンズ
Ｌ２    第２レンズ
Ｌ３    第３レンズ
Ｌ４    第４レンズ
Ｌ５    第５レンズ
Ｌ６    第６レンズ
Ｐｉｍ    像点
ＰＰ    光学部材
Ｓｉｍ    像面
Ｓｔ    開口絞り
Ｚ    光軸
【図１】
2015125149.tif 000028
【図２】
2015125149.tif 000029
【図３】
2015125149.tif 000030
【図４】
2015125149.tif 000031
【図５】
2015125149.tif 000032
【図６】
2015125149.tif 000033
【図７】
2015125149.tif 000034
【図８】
2015125149.tif 000035
【図９】
2015125149.tif 000036
【図１０】
2015125149.tif 000037
【図１１】
2015125149.tif 000038
【図１２】
2015125149.tif 000039
【図１３】
2015125149.tif 000040
【図１４】
2015125149.tif 000041
【図１５】
2015125149.tif 000042
【図１６】
2015125149.tif 000043
【図１７】
2015125149.tif 000044
【図１８】
2015125149.tif 000045
【図１９】
2015125149.tif 000046
【図２０】
2015125149.tif 000047
【図２１】
2015125149.tif 000048
【図２２】
2015125149.tif 000049
【図２３】
2015125149.tif 000050
【図２４】
2015125149.tif 000051
【図２５】
2015125149.tif 000052
【図２６】
2015125149.tif 000053
【図２７】
2015125149.tif 000054
【図２８】
2015125149.tif 000055
【図２９】
2015125149.tif 000056
【図３０】
2015125149.tif 000057
【図３１】
2015125149.tif 000058
【図３２】
2015125149.tif 000059
【図３３】
2015125149.tif 000060
【図３４】
2015125149.tif 000061
【図３５】
2015125149.tif 000062
【図３６】
2015125149.tif 000063
【図３７】
2015125149.tif 000064
【図３８】
2015125149.tif 000065
【図３９】
2015125149.tif 000066
【図４０】
2015125149.tif 000067
【図４１】
2015125149.tif 000068
【図４２】
2015125149.tif 000069
【図４３】
2015125149.tif 000070
【図４４】
2015125149.tif 000071
【図４５】
2015125149.tif 000072
【図４６】
2015125149.tif 000073